(57)【要約】【課題】情報伝達システムで、必要に応じて情報を伝達すること。【解決手段】検出装置と、第１の情報伝達装置と、検出装置と同じ領域に設置された第２の情報伝達装置とを含む情報伝達システムであって、検出装置は、人が近傍にいるか否かを検出する検出部（Ｓ１１）と、人が近傍にいる場合、人が近傍にいることを示す検出信号を第１の情報伝達装置に送信する検出信号送信部（Ｓ１３）とを備え、第１の情報伝達装置は、動作状況を取得する動作状況取得部（Ｓ１４）と、検出装置から検出信号を受信する検出信号受信部（Ｓ１５）と、所定の動作状況が取得された場合、検出信号が受信されたことを条件に、取得された所定の動作状況を、第２の情報伝達装置に送信する動作状況送信部（Ｓ１６）とを備え、第２の情報伝達装置は、第１の情報伝達装置から動作状況を受信する動作状況受信部（Ｓ１７）と、受信された動作状況を出力する動作状況出力部（Ｓ１８）とを備える。【選択図】　　　　図４
2004015169.tif 000002
【特許請求の範囲】
【請求項１】
人が近傍にいることを検出する検出装置と、第１の情報伝達装置と、前記検出装置と同じ領域に設置された第２の情報伝達装置とを含む情報伝達システムであって、
前記検出装置は、
人が近傍にいるか否かを検出する検出手段と、
人が近傍にいる場合、人が近傍にいることを示す検出信号を前記第１の情報伝達装置に送信する検出信号送信手段とを備え、
前記第１の情報伝達装置は、
動作状況を取得する動作状況取得手段と、
前記検出装置から前記検出信号を受信する検出信号受信手段と、
前記動作状況取得手段により所定の動作状況が取得された場合、前記検出信号が受信されたことを条件に、前記取得された所定の動作状況を、前記第２の情報伝達装置に送信する動作状況送信手段とを備え、
前記第２の情報伝達装置は、
前記第１の情報伝達装置から前記動作状況を受信する動作状況受信手段と、
前記受信された動作状況を出力する情報出力手段とを備えた、情報伝達システム。
【請求項２】
前記検出装置は、
前記第２の情報伝達装置に備えられ、
前記第２の情報伝達装置の人による操作を検出する操作検出手段を含む、請求項１に記載の情報伝達システム。
【請求項３】
人が近傍にいることを検出する検出装置と、第１の情報伝達装置と、前記検出装置と同じ領域に設置された第２の情報伝達装置とを含む情報伝達システムであって、
前記第１の情報伝達装置は、
動作状況を取得する動作状況取得手段と、
前記取得された動作状況を前記第２の情報伝達装置に送信する動作状況送信手段とを備え、
前記検出装置は、
人が近傍にいるか否かを検出する検出手段と、
人が近傍にいる場合、人が近傍にいることを示す検出信号を前記第２の情報伝達装置に送信する検出信号送信手段とを備え、
前記第２の情報伝達装置は、
前記第１の情報伝達装置から前記動作状況を受信する動作状況受信手段と、
前記検出装置から前記検出信号を受信する検出信号受信手段と、
前記動作状況受信手段により所定の動作状況が受信された場合、前記検出信号が受信されたことを条件に、前記受信された所定の動作状況を出力する情報出力手段とを備えた、情報伝達システム。
【請求項４】
前記検出装置は、
前記第２の情報伝達装置に備えられ、
前記第２の情報伝達装置の人による操作を検出する操作検出手段を含む、請求項３に記載の情報伝達システム。
【請求項５】
第１の情報伝達装置と第２の情報伝達装置とを含む情報伝達システムであって、
前記第１の情報伝達装置は、
動作状況を取得する動作状況取得手段と、
前記取得された動作状況を前記第２の情報伝達装置に送信する動作状況送信手段とを備え、
前記第２の情報伝達装置は、
前記第１の情報伝達装置から動作状況を受信する動作状況受信手段と、
前記動作状況受信手段により所定の動作状況が受信された場合、前記受信された動作状況に関連する情報を出力する情報出力手段とを備えた、情報伝達システム。
【請求項６】
前記情報出力手段は、
前記動作状況受信手段により所定の動作状況が受信された場合、前記受信された動作状況に関連する付加情報取得情報に基づき、前記付加情報を取得する付加情報取得手段を含み、
前記取得された付加情報を出力する、請求項５に記載の情報伝達システム。
【請求項７】
近傍に人がいるか否かを検出する検出装置、および、前記検出装置と同じ領域に設置された他の情報伝達装置それぞれとの間で情報を送受信可能な情報伝達装置であって、
動作状況を取得する動作状況取得手段と、
前記検出装置から人が近傍にいることを示す検出信号を受信する検出信号受信手段と、
前記動作状況取得手段により所定の動作状況が取得された場合、前記検出信号が受信されたことを条件に、前記取得された所定の動作状況を、前記他の情報伝達装置に送信する動作状況送信手段とを備えた、情報伝達装置。
【請求項８】
前記検出信号の送信を前記検出装置に要求する検出信号送信要求手段をさらに備えた、請求項７に記載の情報伝達装置。
【請求項９】
前記検出装置は複数あり、前記複数の検出装置は互いに異なる領域に設置され、
前記他の情報伝達装置は複数あり、前記複数の他の情報伝達装置は、それぞれ、前記複数の検出装置と同じ領域に設置され、
前記動作状況送信手段は、前記取得された所定の動作状況を、前記検出信号を送信した検出装置と同じ領域に設置された他の情報伝達装置に送信する、請求項７に記載の情報伝達装置。
【請求項１０】
前記検出装置は、近傍に所定の人がいるか否かを検出し、
前記検出信号受信手段は、前記検出装置から前記所定の人が近傍にいることを示す検出信号を受信する、請求項７に記載の情報伝達装置。
【請求項１１】
近傍に人がいるか否かを検出する検出装置、および、他の情報伝達装置それぞれとの間で情報を送受信可能な情報伝達装置であって、
前記検出装置は、自機が設置される領域と同じ領域に設置され、
前記他の情報伝達装置から動作状況を受信する動作状況受信手段と、
前記検出装置から人が近傍にいることを示す検出信号を受信する検出信号受信手段と、
前記動作状況受信手段により所定の動作状況が受信された場合、前記検出信号が受信されたことを条件に、前記受信された所定の動作状況を出力する情報出力手段とを備えた、情報伝達装置。
【請求項１２】
前記検出信号の送信を前記検出装置に要求する検出信号送信要求手段をさらに備えた、請求項１１に記載の情報伝達装置。
【請求項１３】
前記検出装置は、近傍に所定の人がいるか否かを検出し、
前記検出信号受信手段は、前記検出装置から前記所定の人が近傍にいることを示す検出信号を受信する、請求項１１に記載の情報伝達装置。
【請求項１４】
他の情報伝達装置との間で情報を送受信可能な情報伝達装置であって、
前記他の情報伝達装置から動作状況を受信する動作状況受信手段と、
前記動作状況受信手段により所定の動作状況が受信された場合、前記受信された動作状況に関連する情報を出力する情報出力手段とを備えた、情報伝達装置。
【請求項１５】
前記他の情報伝達装置の動作状況と、前記動作状況に関連する出力情報とを対応させて予め記憶する出力情報記憶手段をさらに備え、
前記情報出力手段は、前記動作状況受信手段により所定の動作状況が受信された場合、前記受信された動作状況に対応させて記憶された出力情報を出力する、請求項１４に記載の情報伝達装置。
【請求項１６】
前記他の情報伝達装置の動作状況と、前記動作状況に関連する付加情報取得情報とを対応させて予め記憶する付加情報取得情報記憶手段をさらに備え、
前記情報出力手段は、
前記動作状況受信手段により所定の動作状況が受信された場合、前記受信された動作状況に対応させて記憶された付加情報取得情報に基づき、前記付加情報を取得する付加情報取得手段を含み、
前記取得された付加情報を出力する、請求項１４に記載の情報伝達装置。
【請求項１７】
前記他の情報伝達装置の動作状況と、自機の動作への割込を許可することを示す割込許可情報とを対応させて予め記憶する割込許可情報記憶手段をさらに備え、
前記情報出力手段は、前記受信された動作状況に対応させて割込許可情報が記憶されている場合、前記受信された動作状況に関連する情報を出力する、請求項１４に記載の情報伝達装置。
【請求項１８】
近傍に人がいるか否かを検出する検出装置、および、前記検出装置と同じ領域に設置された他の情報伝達装置それぞれとの間で情報を送受信可能な情報伝達装置で情報を伝達する情報伝達方法であって、
動作状況を取得するステップと、
前記検出装置から人が近傍にいることを示す検出信号を受信するステップと、
所定の動作状況が取得された場合、前記検出信号が受信されたことを条件に、前記取得された所定の動作状況を、前記他の情報伝達装置に送信するステップとを含む、情報伝達方法。
【請求項１９】
自機が設置される領域と同じ領域に設置され、近傍に人がいるか否かを検出する検出装置、および、他の情報伝達装置それぞれとの間で情報を送受信可能な情報伝達装置で情報を伝達する情報伝達方法であって、
前記他の情報伝達装置から動作状況を受信するステップと、
前記検出装置から人が近傍にいることを示す検出信号を受信するステップと、
所定の動作状況が受信された場合、前記検出信号が受信されたことを条件に、前記受信された所定の動作状況を出力するステップとを含む、情報伝達方法。
【請求項２０】
他の情報伝達装置との間で情報を送受信可能な情報伝達装置で情報を伝達する情報伝達方法であって、
前記他の情報伝達装置から動作状況を受信するステップと、
所定の動作状況が受信された場合、前記受信された動作状況に関連する情報を出力するステップとを含む、情報伝達方法。
【請求項２１】
近傍に人がいるか否かを検出する検出装置、および、前記検出装置と同じ領域に設置された他の情報伝達装置それぞれとの間で情報を送受信可能な情報伝達装置で実行される情報伝達プログラムであって、
動作状況を取得するステップと、
前記検出装置から人が近傍にいることを示す検出信号を受信するステップと、
所定の動作状況が取得された場合、前記検出信号が受信されたことを条件に、前記取得された所定の動作状況を、前記他の情報伝達装置に送信するステップとを情報伝達装置に実行させる、情報伝達プログラム。
【請求項２２】
自機が設置される領域と同じ領域に設置され、近傍に人がいるか否かを検出する検出装置、および、他の情報伝達装置それぞれとの間で情報を送受信可能な情報伝達装置で実行される情報伝達プログラムであって、
前記他の情報伝達装置から動作状況を受信するステップと、
前記検出装置から人が近傍にいることを示す検出信号を受信するステップと、
所定の動作状況が受信された場合、前記検出信号が受信されたことを条件に、前記受信された所定の動作状況を出力するステップとを情報伝達装置に実行させる、情報伝達プログラム。
【請求項２３】
他の情報伝達装置との間で情報を送受信可能な情報伝達装置で実行される情報伝達プログラムであって、
前記他の情報伝達装置から動作状況を受信するステップと、
所定の動作状況が受信された場合、前記受信された動作状況に関連する情報を出力するステップとを情報伝達装置に実行させる、情報伝達プログラム。
【請求項２４】
請求項２１〜２３のいずれかに記載の情報伝達プログラムを記録したコンピュータ読取可能な記録媒体。
【発明の詳細な説明】
【０００１】
【発明の属する技術分野】
本発明は、情報伝達システム、情報伝達装置、情報伝達方法、情報伝達プログラム、および、情報伝達プログラムを記録したコンピュータ読取可能な記録媒体に関し、特に、情報を確実に伝達するのに適した情報伝達システム、情報伝達装置、情報伝達方法、情報伝達プログラム、および、情報伝達プログラムを記録したコンピュータ読取可能な記録媒体に関する。
【０００２】
【従来の技術】
従来、家庭用電気機器（以下「家電」という）は、単独で稼働し、動作状況等を出力する。この家電によれば、使用者は家電の近くにいなければ、家電の動作状況を知ることができない。
【０００３】
特開平１１−１４６９９１号公報では、データの送受信をするための通信手段と該データを表示する表示部とを具備し、該通信手段を介して、通信手段を具備している他の家電と情報の授受を行なうネットワークを構成する洗濯機が記載されている。
【０００４】
この洗濯機によれば、洗濯の進行状況やエラーの発生を、通信手段によってネットワークに接続されている他の家電すべてに送信し、家電において洗濯の進行状態やエラーの発生をディスプレイに表示、または、音声出力することができる。このため、洗濯機の使用者は、ネットワークに接続されている家電のいずれかの近くにいれば、洗濯機からの情報を知ることができる。
【０００５】
【発明が解決しようとする課題】
しかしながら、特開平１１−１４６９９１号公報では、進行状況やエラーを、ネットワークに接続されている他の家電すべてに送信する。このため、使用者が近くにいない家電からも情報が出力されるといった無駄な動作が生じる。
【０００６】
また、特開平１１−１４６９９１号公報では、洗濯機の使用者以外の使用者が使用している家電にも情報が出力されるといった問題がある。たとえば、洗濯機の使用者以外の使用者が視聴しているテレビ画面に、洗濯機からの情報が表示される。
【０００７】
この発明は上述の問題点を解決するためになされたもので、この発明の目的は、必要に応じて情報を伝達することが可能な情報伝達システム、情報伝達装置、情報伝達方法、情報伝達プログラム、および、情報伝達プログラムを記録したコンピュータ読取可能な記録媒体を提供することである。
【０００８】
この発明の他の目的は、伝達する情報に関連する情報を報知することが可能な情報伝達システム、情報伝達装置、情報伝達方法、情報伝達プログラム、および、情報伝達プログラムを記録したコンピュータ読取可能な記録媒体を提供することである。
【０００９】
【課題を解決するための手段】
上述の目的を達成するために、この発明のある局面によれば、情報伝達システムは、人が近傍にいることを検出する検出装置と、第１の情報伝達装置と、検出装置と同じ領域に設置された第２の情報伝達装置とを含み、
検出装置は、人が近傍にいるか否かを検出する検出手段と、人が近傍にいる場合、人が近傍にいることを示す検出信号を第１の情報伝達装置に送信する検出信号送信手段とを備え、
第１の情報伝達装置は、動作状況を取得する動作状況取得手段と、検出装置から検出信号を受信する検出信号受信手段と、動作状況取得手段により所定の動作状況が取得された場合、検出信号が受信されたことを条件に、取得された所定の動作状況を、第２の情報伝達装置に送信する動作状況送信手段とを備え、
第２の情報伝達装置は、第１の情報伝達装置から動作状況を受信する動作状況受信手段と、受信された動作状況を出力する情報出力手段とを備える。
【００１０】
この発明に従えば、情報伝達システムは、検出装置と、第１の情報伝達装置と、検出装置と同じ領域に設置された第２の情報伝達装置とを含む。そして、検出装置は、人が近傍にいる場合、人が近傍にいることを示す検出信号を第１の情報伝達装置に送信する。また、第１の情報伝達装置は、所定の動作状況が取得された場合、検出装置から検出信号が受信されたことを条件に、取得された所定の動作状況を、第２の情報伝達装置に送信する。さらに、第２の情報伝達装置は、第１の情報伝達装置から動作状況を受信し、出力する。このため、第２の情報伝達装置の近傍に人がいる場合にのみ、第１の情報伝達装置の動作状況を第２の情報伝達装置で出力することができる。その結果、必要に応じて情報を伝達することが可能な情報伝達システムを提供することができる。
【００１１】
好ましくは、検出装置は、第２の情報伝達装置に備えられ、第２の情報伝達装置の人による操作を検出する操作検出手段を含む。
【００１２】
この発明に従えば、第２の情報伝達装置が人に操作されている場合にのみ、第１の情報伝達装置の動作状況を第２の情報伝達装置で出力することができる。その結果、必要に応じて情報を伝達することができる。
【００１３】
この発明の他の局面によれば、情報伝達システムは、人が近傍にいることを検出する検出装置と、第１の情報伝達装置と、検出装置と同じ領域に設置された第２の情報伝達装置とを含み、
第１の情報伝達装置は、動作状況を取得する動作状況取得手段と、取得された動作状況を第２の情報伝達装置に送信する動作状況送信手段とを備え、
検出装置は、人が近傍にいるか否かを検出する検出手段と、人が近傍にいる場合、人が近傍にいることを示す検出信号を第２の情報伝達装置に送信する検出信号送信手段とを備え、
第２の情報伝達装置は、第１の情報伝達装置から動作状況を受信する動作状況受信手段と、検出装置から検出信号を受信する検出信号受信手段と、動作状況受信手段により所定の動作状況が受信された場合、検出信号が受信されたことを条件に、受信された所定の動作状況を出力する情報出力手段とを備える。
【００１４】
この発明に従えば、情報伝達システムは、検出装置と、第１の情報伝達装置と、検出装置と同じ領域に設置された第２の情報伝達装置とを含む。そして、第１の情報伝達装置は、動作状況を取得し、第２の情報伝達装置に送信する。また、検出装置は、人が近傍にいる場合、人が近傍にいることを示す検出信号を第２の情報伝達装置に送信する。さらに、第２の情報伝達装置は、所定の動作状況が受信された場合、検出信号が受信されたことを条件に、受信された所定の動作状況を出力する。このため、第２の情報伝達装置の近傍に人がいる場合にのみ、第１の情報伝達装置の動作状況を第２の情報伝達装置で出力することができる。その結果、必要に応じて情報を伝達することが可能な情報伝達システムを提供することができる。
【００１５】
好ましくは、検出装置は、第２の情報伝達装置に備えられ、第２の情報伝達装置の人による操作を検出する操作検出手段を含む。
【００１６】
この発明に従えば、第２の情報伝達装置が人に操作されている場合にのみ、第１の情報伝達装置の動作状況を第２の情報伝達装置で出力することができる。その結果、必要に応じて情報を伝達することができる。
【００１７】
この発明のさらに他の局面によれば、情報伝達システムは、第１の情報伝達装置と第２の情報伝達装置とを含み、
第１の情報伝達装置は、動作状況を取得する動作状況取得手段と、取得された動作状況を第２の情報伝達装置に送信する動作状況送信手段とを備え、
第２の情報伝達装置は、第１の情報伝達装置から動作状況を受信する動作状況受信手段と、動作状況受信手段により所定の動作状況が受信された場合、受信された動作状況に関連する情報を出力する情報出力手段とを備える。
【００１８】
この発明に従えば、情報伝達システムは、第１の情報伝達装置と第２の情報伝達装置とを含む。そして、第１の情報伝達装置は、動作状況を取得し、第２の情報伝達装置に送信する。また、第２の情報伝達装置は、第１の情報伝達装置から動作状況を受信し、所定の動作状況が受信された場合、受信された動作状況に関連する情報を出力する。このため、受信された動作状況に応じて、出力する情報を変えることができる。その結果、伝達する情報に関連する情報を報知することが可能な情報伝達システムを提供することができる。
【００１９】
好ましくは、情報出力手段は、動作状況受信手段により所定の動作状況が受信された場合、受信された動作状況に関連する付加情報取得情報に基づき、付加情報を取得する付加情報取得手段を含み、取得された付加情報を出力する。
【００２０】
この発明に従えば、情報伝達システムの第２の情報伝達装置は、所定の動作状況が受信された場合、受信された動作状況に関連する付加情報取得情報に基づき、付加情報を取得し、出力する。このため、受信された動作状況に応じて、付加情報を出力することができる。その結果、伝達する情報に関連する情報を報知することができる。
【００２１】
この発明のさらに他の局面によれば、情報伝達装置は、近傍に人がいるか否かを検出する検出装置、および、検出装置と同じ領域に設置された他の情報伝達装置それぞれとの間で情報を送受信可能であって、動作状況を取得する動作状況取得手段と、検出装置から人が近傍にいることを示す検出信号を受信する検出信号受信手段と、動作状況取得手段により所定の動作状況が取得された場合、検出信号が受信されたことを条件に、取得された所定の動作状況を、他の情報伝達装置に送信する動作状況送信手段とを備える。
【００２２】
この発明に従えば、情報伝達装置は、動作状況を取得し、検出装置から人が近傍にいることを示す検出信号を受信し、所定の動作状況が取得された場合、検出信号が受信されたことを条件に、取得された所定の動作状況を、他の情報伝達装置に送信する。このため、所定の動作状況を、人が近傍にいる情報伝達装置に送信することができる。その結果、必要に応じて情報を伝達することが可能な情報伝達装置を提供することができる。
【００２３】
好ましくは、情報伝達装置は、検出信号の送信を検出装置に要求する検出信号送信要求手段をさらに備える。
【００２４】
この発明に従えば、情報伝達装置は、必要に応じて、検出信号を受信することができる。
【００２５】
好ましくは、検出装置は複数あり、複数の検出装置は互いに異なる領域に設置され、他の情報伝達装置は複数あり、複数の他の情報伝達装置は、それぞれ、複数の検出装置と同じ領域に設置され、動作状況送信手段は、取得された所定の動作状況を、検出信号を送信した検出装置と同じ領域に設置された他の情報伝達装置に送信する。
【００２６】
この発明に従えば、情報伝達装置は、複数の情報伝達装置のうち、近傍に人がいる情報伝達装置にのみ、動作状況を送信することができる。その結果、必要に応じて情報を伝達することができる。
【００２７】
好ましくは、検出装置は、近傍に所定の人がいるか否かを検出し、検出信号受信手段は、検出装置から所定の人が近傍にいることを示す検出信号を受信する。
【００２８】
この発明に従えば、情報伝達装置は、動作状況を取得し、検出装置から所定の人が近傍にいることを示す検出信号を受信し、所定の動作状況が取得された場合、検出信号が受信されたことを条件に、取得された所定の動作状況を、他の情報伝達装置に送信する。このため、所定の動作状況を、所定の人が近傍にいる情報伝達装置に送信することができる。その結果、必要に応じて情報を伝達することが可能な情報伝達装置を提供することができる。
【００２９】
この発明のさらに他の局面によれば、情報伝達装置は、近傍に人がいるか否かを検出する検出装置、および、他の情報伝達装置それぞれとの間で情報を送受信可能である。また、検出装置は、自機が設置される領域と同じ領域に設置される。そして、情報伝達装置は、他の情報伝達装置から動作状況を受信する動作状況受信手段と、検出装置から人が近傍にいることを示す検出信号を受信する検出信号受信手段と、動作状況受信手段により所定の動作状況が受信された場合、検出信号が受信されたことを条件に、受信された所定の動作状況を出力する情報出力手段とを備える。
【００３０】
この発明に従えば、情報伝達装置は、他の情報伝達装置から動作状況を受信し、検出装置から人が近傍にいることを示す検出信号を受信し、所定の動作状況が受信された場合、検出信号が受信されたことを条件に、受信された所定の動作状況を出力する。このため、近傍に人がいる場合に、他の情報伝達装置の動作状況を出力することができる。その結果、必要に応じて情報を伝達することが可能な情報伝達装置を提供することができる。
【００３１】
好ましくは、検出信号の送信を検出装置に要求する検出信号送信要求手段をさらに備える。
【００３２】
この発明に従えば、情報伝達装置は、必要に応じて、検出信号を受信することができる。
【００３３】
好ましくは、検出装置は、近傍に所定の人がいるか否かを検出し、検出信号受信手段は、検出装置から所定の人が近傍にいることを示す検出信号を受信する。
【００３４】
この発明に従えば、情報伝達装置は、他の情報伝達装置から動作状況を受信し、検出装置から所定の人が近傍にいることを示す検出信号を受信し、所定の動作状況が受信された場合、検出信号が受信されたことを条件に、受信された所定の動作状況を出力する。このため、近傍に所定の人がいる場合に、他の情報伝達装置の動作状況を出力することができる。その結果、必要に応じて情報を伝達することが可能な情報伝達装置を提供することができる。
【００３５】
この発明のさらに他の局面によれば、情報伝達装置は、他の情報伝達装置との間で情報を送受信可能であって、他の情報伝達装置から動作状況を受信する動作状況受信手段と、動作状況受信手段により所定の動作状況が受信された場合、受信された動作状況に関連する情報を出力する情報出力手段とを備える。
【００３６】
この発明に従えば、情報伝達装置は、他の情報伝達装置から動作状況を受信し、所定の動作状況が受信された場合、受信された動作状況に関連する情報を出力する。このため、受信された動作状況に応じて、出力する情報を変えることができる。その結果、伝達する情報に関連する情報を報知することが可能な情報伝達装置を提供することができる。
【００３７】
好ましくは、情報伝達装置は、他の情報伝達装置の動作状況と、動作状況に関連する出力情報とを対応させて予め記憶する出力情報記憶手段をさらに備え、情報出力手段は、動作状況受信手段により所定の動作状況が受信された場合、受信された動作状況に対応させて記憶された出力情報を出力する。
【００３８】
この発明に従えば、情報伝達装置は、他の情報伝達装置から動作状況を受信し、所定の動作状況が受信された場合、受信された動作状況に対応させて記憶された出力情報を出力する。このため、受信された動作状況に応じた出力情報を出力することができる。その結果、伝達する情報に関連する情報を報知することができる。
【００３９】
好ましくは、他の情報伝達装置の動作状況と、動作状況に関連する付加情報取得情報とを対応させて予め記憶する付加情報取得情報記憶手段をさらに備え、情報出力手段は、動作状況受信手段により所定の動作状況が受信された場合、受信された動作状況に対応させて記憶された付加情報取得情報に基づき、付加情報を取得する付加情報取得手段を含み、取得された付加情報を出力する。
【００４０】
この発明に従えば、情報伝達装置は、他の情報伝達装置から動作状況を受信し、所定の動作状況が受信された場合、受信された動作状況に対応させて記憶された付加情報取得情報に基づき、付加情報を取得し、出力する。このため、受信された動作状況に応じた付加情報を出力することができる。その結果、伝達する情報に関連する情報を報知することができる。
【００４１】
好ましくは、他の情報伝達装置の動作状況と、自機の動作への割込を許可することを示す割込許可情報とを対応させて予め記憶する割込許可情報記憶手段をさらに備え、情報出力手段は、受信された動作状況に対応させて割込許可情報が記憶されている場合、受信された動作状況に関連する情報を出力する。
【００４２】
この発明に従えば、情報伝達装置は、他の情報伝達装置から動作状況を受信し、所定の動作状況が受信された場合、受信された動作状況に対応させて割込許可情報が記憶されている場合、受信された動作状況に関連する情報を出力する。このため、割込が許可される場合は、受信された動作状況に応じた情報を出力することができる。その結果、必要に応じて情報を伝達することができる。
【００４３】
この発明のさらに他の局面によれば、情報伝達方法は、近傍に人がいるか否かを検出する検出装置、および、検出装置と同じ領域に設置された他の情報伝達装置それぞれとの間で情報を送受信可能な情報伝達装置で情報を伝達する方法であって、動作状況を取得するステップと、検出装置から人が近傍にいることを示す検出信号を受信するステップと、所定の動作状況が取得された場合、検出信号が受信されたことを条件に、取得された所定の動作状況を、他の情報伝達装置に送信するステップとを含む。
【００４４】
この発明に従えば、必要に応じて情報を伝達することが可能な情報伝達方法を提供することができる。
【００４５】
この発明のさらに他の局面によれば、情報伝達方法は、自機が設置される領域と同じ領域に設置され、近傍に人がいるか否かを検出する検出装置、および、他の情報伝達装置それぞれとの間で情報を送受信可能な情報伝達装置で情報を伝達する方法であって、他の情報伝達装置から動作状況を受信するステップと、検出装置から人が近傍にいることを示す検出信号を受信するステップと、所定の動作状況が受信された場合、検出信号が受信されたことを条件に、受信された所定の動作状況を出力するステップとを含む。
【００４６】
この発明に従えば、必要に応じて情報を伝達することが可能な情報伝達方法を提供することができる。
【００４７】
この発明のさらに他の局面によれば、情報伝達方法は、他の情報伝達装置との間で情報を送受信可能な情報伝達装置で情報を伝達する方法であって、他の情報伝達装置から動作状況を受信するステップと、所定の動作状況が受信された場合、受信された動作状況に関連する情報を出力するステップとを含む。
【００４８】
この発明に従えば、伝達する情報に関連する情報を報知することが可能な情報伝達方法を提供することができる。
【００４９】
この発明のさらに他の局面によれば、情報伝達プログラムは、近傍に人がいるか否かを検出する検出装置、および、検出装置と同じ領域に設置された他の情報伝達装置それぞれとの間で情報を送受信可能な情報伝達装置で実行されるプログラムであって、動作状況を取得するステップと、検出装置から人が近傍にいることを示す検出信号を受信するステップと、所定の動作状況が取得された場合、検出信号が受信されたことを条件に、取得された所定の動作状況を、他の情報伝達装置に送信するステップとを情報伝達装置に実行させる。
【００５０】
この発明に従えば、必要に応じて情報を伝達することが可能な情報伝達プログラムおよび情報伝達プログラムを記録したコンピュータ読取可能な記録媒体を提供することができる。
【００５１】
この発明のさらに他の局面によれば、情報伝達プログラムは、自機が設置される領域と同じ領域に設置され、近傍に人がいるか否かを検出する検出装置、および、他の情報伝達装置それぞれとの間で情報を送受信可能な情報伝達装置で実行されるプログラムであって、他の情報伝達装置から動作状況を受信するステップと、検出装置から人が近傍にいることを示す検出信号を受信するステップと、所定の動作状況が受信された場合、検出信号が受信されたことを条件に、受信された所定の動作状況を出力するステップとを情報伝達装置に実行させる。
【００５２】
この発明に従えば、必要に応じて情報を伝達することが可能な情報伝達プログラムおよび情報伝達プログラムを記録したコンピュータ読取可能な記録媒体を提供することができる。
【００５３】
この発明のさらに他の局面によれば、情報伝達プログラムは、他の情報伝達装置との間で情報を送受信可能な情報伝達装置で実行されるプログラムであって、他の情報伝達装置から動作状況を受信するステップと、所定の動作状況が受信された場合、受信された動作状況に関連する情報を出力するステップとを情報伝達装置に実行させる。
【００５４】
この発明に従えば、伝達する情報に関連する情報を報知することが可能な情報伝達プログラムおよび情報伝達プログラムを記録したコンピュータ読取可能な記録媒体を提供することができる。
【００５５】
【発明の実施の形態】
以下、本発明の実施の形態について図面を参照して説明する。なお、図中同一符号は同一または相当する部材を示し、重複する説明は繰返さない。
【００５６】
また、本発明の実施の形態においては、情報伝達システムをネット家電システムに用いる場合について説明するが、情報伝達システムが適用されるシステムは、ネット家電システムに限定されない。
【００５７】
ネット家電システムは、家電がネットワークを介して情報を送受信するシステムである。
【００５８】
［第１の実施の形態］
図１は、本発明の実施の形態におけるネット家電システムの概略を示す図である。図１を参照して、ネット家電システムは、洗濯機５００Ａ、テレビ５００Ｂ、ＤＶＤ（Ｄｉｇｉｔａｌ　Ｖｅｒｓａｔｉｌｅ　Ｄｉｓｋ）プレーヤ５００Ｃ、モニタ５００Ｄ、および、ゲーム機５００Ｅなどの家電５００Ａ〜５００Ｅを含む。また、選択的に、センサ６００Ａ，６００Ｂを含む。そして、家電５００Ａ〜５００Ｅ、および、センサ６００Ａ，６００Ｂは、それぞれ、家庭内ＬＡＮ（Ｌｏｃａｌ　Ａｒｅａ　Ｎｅｔｗｏｒｋ）４００に接続されている。家庭内ＬＡＮ４００は、公衆回線あるいは専用回線を介して、インターネットに接続されている。ここで、家庭内ＬＡＮ４００は、有線ＬＡＮであっても、無線ＬＡＮであってもよい。
【００５９】
部屋Ａには、家電５００Ａが設置され、部屋Ｂには、家電５００Ｂ，５００Ｃ、および、センサ６００Ａが設置される。また、部屋Ｃには、家電５００Ｄ，５００Ｅ、および、センサ６００Ｂが設置される。
【００６０】
家電５００Ａ〜５００Ｅ、および、センサ６００Ａ，６００Ｂは、家庭内ＬＡＮ４００を介して、互いに通信を行なうことが可能である。
【００６１】
家電５００Ａ〜５００Ｅは、互いに、動作状況を送受信し、受信した動作状況を出力することが可能である。
【００６２】
センサ６００Ａ，６００Ｂは、検出範囲内に人がいるか否かを検出し、人を検出したことを示す検出信号を送信することが可能である。また、センサ６００Ａ，６００Ｂとして、超音波センサ、あるいは、赤外線センサなどを用いることができる。さらに、センサ６００Ａ，６００Ｂが、検出範囲内に特定の人がいるか否かを検出する場合は、センサ６００Ａ，６００Ｂとして、ユーザのバイオメトリクス情報を検出したり、あるいは、ユーザが身に付けているバーコードを印刷したバッジをカメラで検出したりすることによって、ユーザを特定することが可能なセンサを用いることができる。
【００６３】
図２は、第１の実施の形態におけるネット家電システムの情報伝達機能を示す機能ブロック図である。図２を参照して、ネット家電システムは、洗濯機１００と、テレビ２００と、センサ３００とを含む。また、センサ３００は、テレビ２００と同じ部屋に設置される。ここでは、ネット家電システムに、洗濯機１００とテレビ２００とが含まれる場合について説明するが、ネット家電システムに含まれる家電は、洗濯機１００とテレビ２００とに限定されない。
【００６４】
センサ３００は、センサ３００の全体を制御する制御部３１０と、センサ３００を家庭内ＬＡＮ４００と接続するためのインタフェイスである通信部３３０と、検出範囲内に人がいるか否かを検出する検出部３６０とを含む。
【００６５】
センサ３００の制御部３１０は、演算処理装置であり、制御部３１０で実行するためのプログラムを記憶するためのＲＯＭ（Ｒｅａｄ　Ｏｎｌｙ　Ｍｅｍｏｒｙ）と、プログラムを実行するために必要な作業領域として用いられるＲＡＭ（Ｒａｎｄｏｍ　Ａｃｃｅｓｓ　Ｍｅｍｏｒｙ）とを備える。センサ３００の制御部３１０は、検出信号送信部３１２を含む。
【００６６】
検出部３６０は、検出範囲内に人がいる場合は、検出範囲内に人がいることを示す検出信号を制御部３１０の検出信号送信部３１２に送信する。また、検出部３６０は、検出範囲内に人がいない場合は、何も送信しない。
【００６７】
検出信号送信部３１２は、検出部３６０から検出信号を受信した場合、つまり、人がセンサ３００の近傍にいる場合、受信した検出信号を、通信部３３０および家庭内ＬＡＮ４００を介して、洗濯機１００に送信する。また、検出信号送信部３１２は、検出部３６０から検出信号を受信していない場合、つまり、人がセンサ３００の近傍にいない場合、検出範囲内に人がいないことを示す不検出信号を、洗濯機１００に送信するようにしてもよい。
【００６８】
洗濯機１００は、洗濯機１００の情報伝達機能を制御する制御部１１０と、洗濯機１００を家庭内ＬＡＮ４００と接続するためのインタフェイスである通信部１３０と、洗濯機１００の運転を制御する運転制御部１６０とを含む。
【００６９】
洗濯機１００の制御部１１０は、演算処理装置であり、制御部１１０で実行するためのプログラムを記憶するためのＲＯＭと、プログラムを実行するために必要な作業領域として用いられるＲＡＭとを備える。洗濯機１００の制御部１１０は、検出信号受信部１１１と、動作状況取得部１１２と、動作状況送信部１１３とを含む。
【００７０】
検出信号受信部１１１は、センサ３００から家庭内ＬＡＮ４００および通信部１３０を介して、検出信号を受信したか否かを判断する。そして、検出信号受信部１１１は、所定の時間、検出信号が受信されない場合は、受信していないと判断する。所定の時間とは、検出信号を受信したか否かを判断し始めてから、受信していないと判断するまでの時間であり、たとえば、１分間である。また、検出信号送信部３１２が検出信号あるいは不検出信号を送信するようにした場合、検出信号受信部１１１は、検出信号あるいは不検出信号のいずれを受信したかを判断するようにしてもよい。
【００７１】
動作状況取得部１１２は、運転制御部１６０から、洗濯機１００の運転の状況を示す動作状況を取得する。
【００７２】
動作状況送信部１１３は、動作状況取得部１１２で所定の動作状況が取得された場合に、検出信号受信部１１１で検出信号が受信されたことを条件に、取得された所定の動作状況を、通信部１３０および家庭内ＬＡＮ４００を介して、テレビ２００に送信する。所定の動作状況は、予め定められた動作状況であって、たとえば、「洗濯開始」、「洗い終了」、「すすぎ終了」および「乾燥終了」などである。所定の動作状況は、運転制御部１６０から取得することが可能な動作状況すべてであってもよいし、制御部１１０のＲＯＭに予め記憶された動作状況であってもよい。
【００７３】
テレビ２００は、テレビ２００の情報伝達機能を制御する制御部２１０と、テレビ２００を家庭内ＬＡＮ４００と接続するためのインタフェイスである通信部２３０と、所定の情報を出力するための出力部２５０とを含む。
【００７４】
テレビ２００の制御部２１０は、演算処理装置であり、制御部２１０で実行するためのプログラムを記憶するためのＲＯＭと、プログラムを実行するために必要な作業領域として用いられるＲＡＭとを備える。テレビ２００の制御部２１０は、動作状況受信部２１１と、情報出力部２１２とを含む。
【００７５】
動作状況受信部２１１は、洗濯機１００から家庭内ＬＡＮ４００および通信部２３０を介して、動作状況を受信する。
【００７６】
情報出力部２１２は、動作状況受信部２１１で受信された動作状況を出力部２５０に出力する。
【００７７】
出力部２５０は、ＣＲＴ（Ｃａｔｈｏｄｅ　Ｒａｙ　Ｔｕｂｅ）または液晶表示装置等の映像表示装置、液晶表示パネルまたはＬＥＤ（Ｌｉｇｈｔ　Ｅｍｉｔｔｉｎｇ　Ｄｉｏｄｅ）表示パネル等のメッセージ表示装置、あるいは、スピーカ等の音声出力装置である。
【００７８】
図３は、第１の実施の形態におけるネット家電システムの洗濯機１００に記憶されるセンサと家電との対応を示すデータベース（以下「Ｄ／Ｂ」という）の一例を示す図である。センサと家電との対応を示すＤ／Ｂは、センサと、同じ部屋に設置される家電とを対応させて記憶する。図３を参照して、センサと家電との対応を示すＤ／Ｂは、センサ名称の項目と、家電名称の項目とよりなるデータを記憶する。
【００７９】
たとえば、センサ名称の項目が「センサＡ」のデータは、家電名称の項目が「テレビ」および「ＤＶＤプレーヤ」のデータと対応する。つまり、このデータにより、センサＡと同じ部屋にテレビおよびＤＶＤプレーヤが設置されていることが示される。
【００８０】
第１の実施の形態において、センサが複数あり、それらのセンサは、互いに異なる部屋に設置され、動作状況を受信する家電が複数あり、それらの家電がそれぞれセンサと同じ部屋に設置される場合、洗濯機１００の動作状況送信部１１３は、センサと家電との対応を示すＤ／Ｂにより、検出信号を送信したセンサと同じ部屋に設置された家電を特定する。そして、動作状況送信部１１３は、動作状況取得部１１２で取得された所定の動作状況を特定された家電に送信する。本実施の形態においては、センサと家電との対応を示すＤ／Ｂによって、動作状況を送信する家電を特定するようにしたが、家電を特定する方法は、センサと家電との対応を示すＤ／Ｂによる方法に限定されない。たとえば、センサとセンサが設置されている部屋との対応を示すＤ／Ｂと、家電と家電が設置されている部屋との対応を示すＤ／Ｂとによって、動作状況を送信する家電を特定するようにしてもよい。
【００８１】
図４は、第１の実施の形態におけるネット家電システムで行なわれる情報伝達処理の流れを示すフローチャートである。図４を参照して、まず、センサ３００において、検出部３６０により、人が近傍にいるか否かが検出される（ステップＳ１１）。人が検出された場合は、ステップＳ１３に進み、人が検出されなかった場合は、ステップＳ１１に戻る（ステップＳ１２）。そして、検出信号送信部３１２により、人が近傍にいることを示す検出信号が、洗濯機１００に送信され（ステップＳ１３）、ステップＳ１１に戻る。
【００８２】
一方、洗濯機１００において、動作状況取得部１１２により、洗濯機１００の所定の動作状況が、運転制御部１６０から取得される（ステップＳ１４）。そして、検出信号受信部１１１により、センサ３００から検出信号が受信されたか否かが判断され、検出信号が受信された場合は、ステップＳ１６に進み、所定の時間、検出信号が受信されない場合は、ステップＳ１４に戻る（ステップＳ１５）。次に、取得された所定の動作状況が、検出信号を送信したセンサ３００と同じ部屋に設置されたテレビ２００に送信され（ステップＳ１６）、ステップＳ１４に戻る。
【００８３】
そして、テレビ２００において、動作状況受信部２１１により、洗濯機１００から、動作状況が受信され（ステップＳ１７）、情報出力部２１２により、受信された動作状況が出力され（ステップＳ１８）、ステップＳ１７に戻る。
【００８４】
以上、説明したように、第１の実施の形態におけるネット家電システムにおいて、洗濯機１００は、所定の動作状況を取得した場合、センサ３００から人が近傍にいることを示す検出信号を受信したことを条件に、所定の動作状況をセンサ３００と同じ部屋に設置されたテレビ２００に送信する。そして、テレビ２００は、洗濯機１００の所定の動作状況を受信し、出力する。このため、テレビ２００の近傍に人がいる場合に、洗濯機１００の動作状況をテレビ２００で出力することができる。その結果、必要に応じて情報を伝達することが可能なネット家電システムを提供することができる。
【００８５】
なお、第１の実施の形態においては、ネット家電システムで行なわれる処理について説明したが、図４に示した洗濯機１００の処理を実行する情報伝達装置、図４に示した洗濯機１００の処理を実行する情報伝達方法、および、図４に示した処理を情報伝達装置に実行させる情報伝達プログラムとして発明を捕らえることができる。
【００８６】
また、第１の実施の形態においては、洗濯機１００を動作状況送信側の情報伝達装置とし、テレビ２００を動作状況受信側の情報伝達装置として説明したが、洗濯機１００を動作状況受信側の情報伝達装置とし、テレビ２００を動作状況送信側とすることができる。さらに、洗濯機１００およびテレビ２００のそれぞれを動作状況送信側および動作状況受信側の機能の両方を備えた情報伝達装置とすることができる。
【００８７】
（第１の実施の形態の第１の変形例）
第１の実施の形態の第１の変形例においては、第１の実施の形態の洗濯機１００に検出信号送信要求部１１４を追加した洗濯機１００Ａが、センサ３００に検出信号の送信を要求して、センサ３００から検出信号を受信する場合について説明する。
【００８８】
図５は、第１の実施の形態の第１の変形例におけるネット家電システムの洗濯機１００Ａの情報伝達機能を示す機能ブロック図である。図５を参照して、ネット家電システムは、洗濯機１００Ａと、テレビ２００と、センサ３００とを含む。テレビ２００と、センサ３００とについては、図２で説明したので、説明は繰返さない。
【００８９】
洗濯機１００Ａは、洗濯機１００Ａの情報伝達機能を制御する制御部１１０Ａと、洗濯機１００Ａを家庭内ＬＡＮ４００と接続するためのインタフェイスである通信部１３０と、洗濯機１００Ａの運転を制御する運転制御部１６０とを含む。
【００９０】
洗濯機１００Ａの制御部１１０Ａは、検出信号受信部１１１と、動作状況取得部１１２と、動作状況送信部１１３と、検出信号送信要求部１１４とを含む。検出信号受信部１１１と、動作状況取得部１１２と、動作状況送信部１１３とについては、図２で説明したので、説明は繰返さない。
【００９１】
検出信号送信要求部１１４は、検出信号の送信をセンサ３００に要求する。センサ３００は、この要求に従って、検出信号を洗濯機１００Ａに送信する。
【００９２】
図６は、第１の実施の形態の第１の変形例におけるネット家電システムの洗濯機１００Ａで行なわれる情報伝達処理の流れを示すフローチャートである。図６を参照して、まず、動作状況取得部１１１により、洗濯機１００Ａの所定の動作状況が、運転制御部１６０から取得される（ステップＳ１４）。そして、検出信号送信要求部１１４により、検出信号の送信がセンサ３００に要求される（ステップＳ１９）。次に、検出信号受信部１１１により、センサ３００から検出信号が受信されたか否かが判断され、検出信号が受信された場合は、ステップＳ１６に進み、所定の時間、検出信号が受信されない場合は、ステップＳ１４に戻る（ステップＳ１５）。最後に、取得された所定の動作状況が、検出信号を送信したセンサ３００と同じ部屋に設置されたテレビ２００に送信され（ステップＳ１６）、ステップＳ１４に戻る。
【００９３】
以上、説明したように、第１の実施の形態の第１の変形例において、洗濯機１００Ａは、センサ３００に検出信号の送信を要求して、センサ３００から検出信号を受信する。このため、必要に応じて、検出信号を受信することができる。
【００９４】
なお、図６に示した洗濯機１００Ａの処理を実行する情報伝達装置、図６に示した洗濯機１００Ａの処理を実行する情報伝達方法、および、図６に示した洗濯機１００Ａの処理を情報伝達装置に実行させる情報伝達プログラムとして発明を捕らえることができる。
【００９５】
また、第１の実施の形態の第１の変形例においては、洗濯機１００Ａを動作状況送信側の情報伝達装置とし、テレビ２００を動作状況受信側の情報伝達装置として説明したが、洗濯機１００Ａを動作状況受信側の情報伝達装置とし、テレビ２００を動作状況送信側とすることができる。さらに、洗濯機１００Ａおよびテレビ２００のそれぞれを動作状況送信側および動作状況受信側の機能の両方を備えた情報伝達装置とすることができる。
【００９６】
（第１の実施の形態の第２の変形例）
第１の実施の形態の第２の変形例においては、洗濯機１００Ｂが、テレビ２００の近傍に所定の人がいる場合に、洗濯機１００Ｂの動作状況をテレビ２００に送信する場合について説明する。
【００９７】
図７は、第１の実施の形態の第２の変形例におけるネット家電システムの情報伝達機能を示す機能ブロック図である。図７を参照して、ネット家電システムは、洗濯機１００Ｂと、テレビ２００と、センサ３００Ａとを含む。テレビ２００については、図２で説明したので、説明は繰返さない。
【００９８】
センサ３００Ａは、センサ３００Ａの全体を制御する制御部３１０Ａと、センサ３００Ａを家庭内ＬＡＮ４００と接続するためのインタフェイスである通信部３３０と、検出範囲内に所定の人がいるか否かを検出する検出部３６０Ａとを含む。
【００９９】
センサ３００Ａの制御部３１０Ａは、演算処理装置であり、制御部３１０Ａで実行するためのプログラムを記憶するためのＲＯＭと、プログラムを実行するために必要な作業領域として用いられるＲＡＭとを備える。センサ３００Ａの制御部３１０Ａは、検出信号送信部３１２Ａを含む。
【０１００】
検出部３６０Ａは、検出範囲内に所定の人がいる場合は、検出範囲内に所定の人がいることを示す検出信号を制御部３１０の検出信号送信部３１２に送信する。また、検出部３６０Ａは、検出範囲内に所定の人がいない場合は、何も送信しない。検出部３６０Ａとしては、ユーザのバイオメトリクス情報を検出したり、あるいは、ユーザが身に付けているバーコードを印刷したバッジをカメラで検出したりすることによって、ユーザを特定することが可能な検出部を用いることができる。
【０１０１】
検出信号送信部３１２Ａは、検出部３６０Ａから検出信号を受信した場合、つまり、所定の人が近傍にいる場合、受信した検出信号を、通信部３３０および家庭内ＬＡＮ４００を介して、洗濯機１００Ｂに送信する。また、検出信号送信部３１２Ａは、検出部３６０Ａから検出信号を受信していない場合、つまり、所定の人が近傍にいない場合、検出範囲内に所定の人がいないことを示す不検出信号を、洗濯機１００Ｂに送信するようにしてもよい。
【０１０２】
洗濯機１００Ｂは、洗濯機１００Ｂの情報伝達機能を制御する制御部１１０Ｂと、洗濯機１００Ｂを家庭内ＬＡＮ４００と接続するためのインタフェイスである通信部１３０と、洗濯機１００Ｂの運転を制御する運転制御部１６０とを含む。
【０１０３】
洗濯機１００Ｂの制御部１１０Ｂは、演算処理装置であり、制御部１１０Ｂで実行するためのプログラムを記憶するためのＲＯＭと、プログラムを実行するために必要な作業領域として用いられるＲＡＭとを備える。洗濯機１００Ｂの制御部１１０Ｂは、検出信号受信部１１１Ａと、動作状況取得部１１２と、動作状況送信部１１３Ａとを含む。
【０１０４】
検出信号受信部１１１Ａは、センサ３００Ａから家庭内ＬＡＮ４００および通信部１３０を介して、検出信号を受信したか否かを判断する。そして、検出信号受信部１１１Ａは、所定の時間、検出信号が受信されない場合は、受信していないと判断する。所定の時間とは、検出信号を受信したか否かを判断し始めてから、受信していないと判断するまでの時間であり、たとえば、１分間である。また、検出信号送信部３１２Ａが検出信号あるいは不検出信号を送信するようにした場合、検出信号受信部１１１Ａは、検出信号あるいは不検出信号のいずれを受信したかを判断するようにしてもよい。
【０１０５】
動作状況取得部１１２は、運転制御部１６０から、洗濯機１００の運転の状況を示す動作状況を取得する。
【０１０６】
動作状況送信部１１３Ａは、動作状況取得部１１２で所定の動作状況が取得された場合に、検出信号受信部１１１で検出信号が受信されたことを条件に、取得された所定の動作状況を、通信部１３０および家庭内ＬＡＮ４００を介して、テレビ２００に送信する。
【０１０７】
図８は、第１の実施の形態の第２の変形例におけるネット家電システムで行なわれる情報伝達処理の流れを示すフローチャートである。図８を参照して、まず、センサ３００Ａにおいて、検出部３６０Ａにより、近傍に所定の人がいるか否かが検出される（ステップＳ２１）。所定の人が検出された場合は、ステップＳ２３に進み、所定の人が検出されなかった場合は、ステップＳ２１に戻る（ステップＳ２２）。そして、検出信号送信部３１２により、近傍に所定の人がいることを示す検出信号が、洗濯機１００Ｂに送信され（ステップＳ２３）、ステップＳ２１に戻る。
【０１０８】
一方、洗濯機１００Ｂにおいて、動作状況取得部１１２により、洗濯機１００Ｂの所定の動作状況が、運転制御部１６０から取得される（ステップＳ２４）。そして、検出信号受信部１１１Ａにより、センサ３００Ａから検出信号が受信されたか否かが判断され、検出信号が受信された場合は、ステップＳ２６に進み、所定の時間、検出信号が受信されない場合は、ステップＳ１４に戻る（ステップＳ２５）。次に、取得された所定の動作状況が、検出信号を送信したセンサ３００Ａと同じ部屋に設置されたテレビ２００に送信され（ステップＳ２６）、ステップＳ２４に戻る。
【０１０９】
そして、テレビ２００において、動作状況受信部２１１により、洗濯機１００Ｂから、動作状況が受信され（ステップＳ２７）、情報出力部２１２により、受信された動作状況が出力され（ステップＳ２８）、ステップＳ２７に戻る。
【０１１０】
以上、説明したように、第１の実施の形態の第２の変形例において、洗濯機１００Ｂは、所定の動作状況を取得した場合、センサ３００Ａから所定の人が近傍にいることを示す検出信号を受信したことを条件に、所定の動作状況をセンサ３００Ａと同じ部屋に設置されたテレビ２００に送信する。そして、テレビ２００は、洗濯機１００Ｂの所定の動作状況を受信し、出力する。このため、テレビ２００の近傍に所定の人がいる場合に、洗濯機１００Ｂの動作状況をテレビ２００で出力することができる。その結果、所定の人にのみ、必要に応じて情報を伝達することが可能なネット家電システムを提供することができる。
【０１１１】
なお、図８に示した洗濯機１００Ｂの処理を実行する情報伝達装置、図８に示した洗濯機１００Ｂの処理を実行する情報伝達方法、および、図８に示した洗濯機１００Ｂの処理を情報伝達装置に実行させる情報伝達プログラムとして発明を捕らえることができる。
【０１１２】
また、第１の実施の形態の第２の変形例においては、洗濯機１００Ｂを動作状況送信側の情報伝達装置とし、テレビ２００を動作状況受信側の情報伝達装置として説明したが、洗濯機１００Ｂを動作状況受信側の情報伝達装置とし、テレビ２００を動作状況送信側とすることができる。さらに、洗濯機１００Ｂおよびテレビ２００のそれぞれを動作状況送信側および動作状況受信側の機能の両方を備えた情報伝達装置とすることができる。
【０１１３】
（第１の実施の形態の第３の変形例）
第１の実施の形態の第３の変形例においては、第１の実施の形態におけるセンサ３００Ｂが、テレビ２００に備えられる場合について説明する。
【０１１４】
図９は、第１の実施の形態の第３の変形例におけるネット家電システムの情報伝達機能を示す機能ブロック図である。図９を参照して、ネット家電システムは、洗濯機１００Ｃとテレビ２００Ａとを含む。
【０１１５】
テレビ２００Ａは、テレビ２００Ａの情報伝達機能を制御する制御部２１０Ａと、テレビ２００Ａを家庭内ＬＡＮ４００と接続するためのインタフェイスである通信部２３０と、所定の情報を出力するための出力部２５０と、テレビ２００Ａの運転を制御する運転制御部２６０と、センサ３００Ｂとを含む。
【０１１６】
センサ３００Ｂは、操作検出部３７０と、検出信号送信部３１２Ｂとを含む。
テレビ２００Ａの制御部２１０Ａは、動作状況受信部２１１と、情報出力部２１２とを含む。
【０１１７】
洗濯機１００Ｃは、洗濯機１００Ｃの情報伝達機能を制御する制御部１１０Ｃと、洗濯機１００Ｃを家庭内ＬＡＮ４００と接続するためのインタフェイスである通信部１３０と、洗濯機１００Ｃの運転を制御する運転制御部１６０とを含む。
【０１１８】
洗濯機１００Ｃの制御部１１０Ｃは、検出信号受信部１１１Ｂと、動作状況取得部１１２と、動作状況送信部１１３とを含む。
【０１１９】
センサ３００Ｂの操作検出部３７０は、テレビ２００Ａの運転制御部２６０から、テレビ２００Ａが人に操作されているか否かを検出する。たとえば、テレビ２００Ａのリモコンが操作されると、運転制御部２６０にリモコンからの操作信号が入力される。操作検出部３７０は、入力された操作信号を検出することにより、テレビ２００Ａが人に操作されているか否かを検出することができる。
【０１２０】
センサ３００Ｂの検出信号送信部３１２Ｂは、操作検出部３７０で人による操作が検出された場合、人に操作されていることを示す検出信号を、テレビ２００Ａの通信部２３０および家庭内ＬＡＮ４００を介して、洗濯機１００Ｃに送信する。また、検出信号送信部３１２Ｂは、操作検出部３７０で人による操作が検出されない場合、人に操作されていないことを示す不検出信号を、洗濯機１００Ｃに送信するようにしてもよい。
【０１２１】
洗濯機１００Ｃの検出信号受信部１１１Ｂは、テレビ２００Ａに備えられたセンサ３００Ｂから家庭内ＬＡＮ４００および通信部１３０を介して、検出信号を受信したか否かを判断する。そして、検出信号受信部１１１Ｂは、所定の時間、検出信号が受信されない場合は、受信していないと判断する。所定の時間とは、検出信号を受信し始めてから、受信していないと判断するまでの時間であり、たとえば、１分間である。また、検出信号送信部３１２Ｂが検出信号あるいは不検出信号を送信するようにした場合、検出信号受信部１１１Ｂは、検出信号あるいは不検出信号のいずれを受信したかを判断するようにしてもよい。
【０１２２】
洗濯機１００Ｃの動作状況取得部１１２と動作状況送信部１１３との機能、および、テレビ２００Ａの動作状況受信部２１１と情報出力部２１２の機能については、図２で説明したので、説明は繰返さない。
【０１２３】
図１０は、第１の実施の形態の第３の変形例におけるネット家電システムで行なわれる情報伝達処理の流れを示すフローチャートである。図１０を参照して、まず、テレビ２００Ａに備えられたセンサ３００Ｂおいて、操作検出部３７０により、テレビ２００Ａが人に操作されているか否かが検出される（ステップＳ３１）。人に操作されている場合は、ステップＳ３３に進み、人に操作されていない場合は、ステップＳ３１に戻る（ステップＳ３２）。そして、センサ３００Ｂの検出信号送信部３１２Ｂにより、人に操作されていることを示す検出信号が洗濯機１００Ｃに送信される（ステップＳ３３）。
【０１２４】
一方、洗濯機１００Ｃにおいて、動作状況取得部１１２により、洗濯機１００Ｃの所定の動作状況が、運転制御部１６０から取得される（ステップＳ３６）。そして、検出信号受信部１１１Ｂにより、テレビ２００Ａに備えられたセンサ３００Ｂから検出信号が受信されたか否かが判断され、検出信号が受信された場合は、ステップＳ３８に進み、所定の時間、検出信号が受信されない場合は、ステップＳ３６に戻る（ステップＳ３７）。次に、取得された所定の動作状況が、検出信号を送信したテレビ２００Ａに送信され（ステップＳ３８）、ステップＳ３６に戻る。
【０１２５】
そして、テレビ２００Ａにおいて、動作状況受信部２１１により、洗濯機１００Ａから、動作状況が受信され（ステップＳ３４）、情報出力部２１２により、受信された動作状況が出力され（ステップＳ３５）、ステップＳ３１に戻る。
【０１２６】
以上、説明したように、第１の実施の形態の第３の変形例において、洗濯機１００Ｃは、所定の動作状況を取得した場合、テレビ２００Ａに備えられたセンサ３００Ｂから人に操作されていることを示す検出信号を受信したことを条件に、検出信号を送信したテレビ２００Ａに、所定の動作状況を送信する。そして、テレビ２００Ａは、洗濯機１００Ｃの所定の動作状況を受信し、出力する。このため、テレビ２００Ａの近傍に人がいる場合に、洗濯機１００Ｃの動作状況をテレビ２００Ａで出力することができる。その結果、必要に応じて情報を伝達することが可能なネット家電システムを提供することができる。
【０１２７】
なお、図１０に示したテレビ２００Ａの処理を実行する情報伝達装置、図１０に示したテレビ２００Ａの処理を実行する情報伝達方法、図１０に示したテレビ２００Ａの処理を情報伝達装置に実行させる情報伝達プログラム、図１０に示した洗濯機１００Ｃの処理を実行する情報伝達装置、図１０に示した洗濯機１００Ｃの処理を実行する情報伝達方法、および、図１０に示した洗濯機１００Ｃの処理を情報伝達装置に実行させる情報伝達プログラムとして発明を捕らえることができる。
【０１２８】
また、第１の実施の形態の第３の変形例においては、洗濯機１００Ｃを動作状況送信側の情報伝達装置とし、テレビ２００Ａを動作状況受信側の情報伝達装置として説明したが、洗濯機１００Ｃを動作状況受信側の情報伝達装置とし、テレビ２００Ａを動作状況送信側とすることができる。さらに、洗濯機１００Ｃおよびテレビ２００Ａのそれぞれを動作状況送信側および動作状況受信側の機能の両方を備えた情報伝達装置とすることができる。
【０１２９】
（第１の実施の形態の具体例）
図１１は、第１の実施の形態の具体例におけるネット家電システムの概略を示す図である。図１１を参照して、ネット家電システムは、ネット家電システムは、洗濯機５０１と、電子レンジ５０２と、テレビ５０３と、ＤＶＤプレーヤ５０４と、モニタ５０５と、ゲーム機５０６と、センサ６０１，６０２とを含む。部屋１には、洗濯機５０１が設置される。部屋２には、電子レンジ５０２が設置される。部屋３には、テレビ５０３と、ＤＶＤプレーヤ５０４と、センサ６０１とが設置される。部屋４には、モニタ５０５と、ゲーム機５０６と、センサ６０２とが設置される。また、図には記載していないが、各機器は、家庭内ＬＡＮ４００に接続されており、互いに情報を送受信することが可能である。
【０１３０】
第１の実施の形態の具体例においては、それぞれの家電５０１〜５０６が、以下のように使用されている時を例に説明する。
【０１３１】
洗濯機５０１は、母親によって使用中であり、脱水運転中である。
電子レンジ５０２は、母親によって使用中であり、パンの発酵処理運転中である。
【０１３２】
ＤＶＤプレーヤ５０４は、映画を再生中であり、テレビ５０３は、ＤＶＤプレーヤ５０４で再生された映画を出力している。母親は、洗濯機５０１で洗濯を開始させ、電子レンジ５０２でパンの発酵処理を開始させた後、部屋３で、テレビ５０３およびＤＶＤプレーヤ５０４で再生されている映画を鑑賞している。
【０１３３】
ゲーム機５０６は、ゲームソフトを実行中であり、モニタ５０５は、ゲーム機５０６で実行されているゲームを出力している。子供は、部屋４にいて、モニタ５０５およびゲーム機５０６を用いてゲームをしている。
【０１３４】
動作状況送信側の家電である洗濯機５０１と電子レンジ５０２とでは、まず、所定の動作状況が取得される。ここでは、所定の動作状況は、洗濯機５０１については、「脱水終了」であり、電子レンジ５０２については、「パン発酵終了」である。
【０１３５】
そして、所定の人が近傍にいることを示す検出信号の送信をセンサ６０１，６０２に要求する。ここでは、所定の人は、洗濯機５０１および電子レンジ５０２を使用している母親である。
【０１３６】
次に、所定の人を検出したセンサ６０１から検出信号が受信される。ここでは、母親が部屋３にいるので、部屋３に設置されたセンサ６０１から検出信号が受信される。
【０１３７】
最後に、検出信号を送信したセンサ６０１と同じ部屋の家電に所定の動作状況が送信される。ここでは、センサ６０１と同じ部屋の家電であるテレビ５０３およびＤＶＤプレーヤ５０４に、洗濯機５０１の「脱水終了」と電子レンジ５０２の「パン発酵終了」とが送信される。
【０１３８】
動作状況受信側の家電では、まず、動作状況送信側の家電から所定の動作状況が受信されたか否かが判断される。ここでは、動作状況受信側の家電は、テレビ５０３およびＤＶＤプレーヤ５０４である。モニタ５０５およびゲーム機５０６の近傍には、所定の人である母親がいないために、動作状況は送信されない。また、洗濯機５０１から所定の動作状況である「脱水終了」が受信され、電子レンジ５０２から「パン発酵終了」が受信される。
【０１３９】
そして、受信された所定の動作状況がテレビ５０３およびＤＶＤプレーヤ５０４の出力部に出力される。
【０１４０】
以上、説明したように、第１の実施の形態の具体例におけるネット家電システムでは、動作状況送信側の家電である洗濯機５０１および電子レンジ５０２は、所定の人である母親が近傍にいる動作状況受信側の家電であるテレビ５０３およびＤＶＤプレーヤ５０４に、所定の動作状況である「脱水終了」および「パン発酵終了」をそれぞれ送信する。また、動作状況受信側の家電であるテレビ５０３およびＤＶＤプレーヤ５０４は、受信した動作状況である「脱水終了」および「パン発酵終了」を出力する。このため、母親は、テレビ５０３およびＤＶＤプレーヤ５０４で、洗濯機５０１の「脱水終了」および電子レンジ５０２の「パン発酵終了」を知ることができる。また、子供は、動作状況の出力に邪魔をされずに、ゲームを楽しむことができる。その結果、所定の人にのみ、必要に応じて情報を伝達することが可能な情報伝達システムを提供することができる。
【０１４１】
［第２の実施の形態］
第２の実施の形態においては、テレビ２００Ｂが、テレビ２００Ｂの近傍に人がいる場合に、洗濯機１００Ｄから受信した動作状況を出力する場合について説明する。
【０１４２】
図１２は、第２の実施の形態におけるネット家電システムの情報伝達機能を示す機能ブロック図である。図１２を参照して、ネット家電システムは、洗濯機１００Ｄと、テレビ２００Ｂと、センサ３００Ｃとを含む。また、センサ３００Ｃは、テレビ２００Ｂと同じ部屋に設置される。ここでは、ネット家電システムに、洗濯機１００Ｄとテレビ２００Ｂとが含まれる場合について説明するが、ネット家電システムに含まれる家電は、洗濯機１００Ｄとテレビ２００Ｂとに限定されない。
【０１４３】
洗濯機１００Ｄは、洗濯機１００Ｄの情報伝達機能を制御する制御部１１０Ｄと、洗濯機１００Ｄを家庭内ＬＡＮ４００と接続するためのインタフェイスである通信部１３０と、洗濯機１００Ｄの運転を制御する運転制御部１６０とを含む。
【０１４４】
洗濯機１００Ｄの制御部１１０Ｄは、演算処理装置であり、制御部１１０Ｄで実行するためのプログラムを記憶するためのＲＯＭと、プログラムを実行するために必要な作業領域として用いられるＲＡＭとを備える。洗濯機１００Ｄの制御部１１０Ｄは、動作状況取得部１１２と、動作状況送信部１１３Ｂとを含む。
【０１４５】
動作状況取得部１１２は、運転制御部１６０から、洗濯機１００Ｄの運転の状況を示す動作状況を取得する。
【０１４６】
動作状況送信部１１３Ｂは、動作状況取得部１１２で取得された動作状況を、通信部１３０および家庭内ＬＡＮ４００を介して、テレビ２００Ｂに送信する。
【０１４７】
センサ３００Ｂは、センサ３００Ｂの全体を制御する制御部３１０Ｂと、センサ３００Ｂを家庭内ＬＡＮ４００と接続するためのインタフェイスである通信部３３０と、検出範囲内に人がいるか否かを検出する検出部３６０とを含む。
【０１４８】
センサ３００Ｃの制御部３１０Ｃは、演算処理装置であり、制御部３１０Ｃで実行するためのプログラムを記憶するためのＲＯＭと、プログラムを実行するために必要な作業領域として用いられるＲＡＭとを備える。センサ３００Ｃの制御部３１０Ｃは、検出信号送信部３１２Ｃを含む。
【０１４９】
検出部３６０については、図２で説明したので、説明は繰返さない。
検出信号送信部３１２Ｃは、検出部３６０から検出信号を受信した場合、つまり、人が近傍にいる場合、受信した検出信号を、通信部３３０および家庭内ＬＡＮ４００を介して、テレビ２００Ｂに送信する。また、検出信号送信部３１２Ｃは、検出部３６０から検出信号を受信していない場合、つまり、人がセンサ３００Ｃの近傍にいない場合、検出範囲内に人がいないことを示す不検出信号を、テレビ２００Ｂに送信するようにしてもよい。
【０１５０】
テレビ２００Ｂは、テレビ２００Ｂの情報伝達機能を制御する制御部２１０Ｂと、テレビ２００Ｂを家庭内ＬＡＮ４００と接続するためのインタフェイスである通信部２３０と、所定の情報を出力するための出力部２５０とを含む。
【０１５１】
テレビ２００Ｂの制御部２１０Ｂは、演算処理装置であり、制御部２１０Ｂで実行するためのプログラムを記憶するためのＲＯＭと、プログラムを実行するために必要な作業領域として用いられるＲＡＭとを備える。テレビ２００Ｂの制御部２１０Ｂは、動作状況受信部２１１と、情報出力部２１２Ａと、検出信号受信部２１５とを含む。
【０１５２】
検出信号受信部２１５は、センサ３００Ｃから家庭内ＬＡＮ４００および通信部２３０を介して、検出信号を受信したか否かを判断する。そして、検出信号受信部２１５は、所定の時間、検出信号が受信されない場合は、受信していないと判断する。所定の時間とは、検出信号を受信したか否かを判断し始めてから、受信していないと判断するまでの時間であり、たとえば、１分間である。また、検出信号送信部３１２Ｃが検出信号あるいは不検出信号を送信するようにした場合、検出信号受信部２１５は、検出信号あるいは不検出信号のいずれを受信したかを判断するようにしてもよい。
【０１５３】
動作状況受信部２１１は、洗濯機１００Ｄから家庭内ＬＡＮ４００および通信部２３０を介して、洗濯機１００Ｄの動作状況を受信する。
【０１５４】
情報出力部２１２Ａは、動作状況受信部２１１で所定の動作状況が受信された場合、検出信号受信部２１５で検出信号が受信されたことを条件に、受信された所定の動作状況を出力部２５０に出力する。出力部２５０については、図２で説明したので、説明は繰返さない。
【０１５５】
図１３は、第２の実施の形態におけるネット家電システムで行なわれる情報伝達処理の流れを示すフローチャートである。図１３を参照して、まず、洗濯機１００Ｄにおいて、動作状況取得部１１２により、洗濯機１００Ｄの動作状況が、運転制御部１６０から取得される（ステップＳ４１）。そして、動作状況送信部１１３Ｂにより、ステップＳ４１で取得された動作状況が、テレビ２００Ｂに送信され（ステップＳ４２）、ステップＳ４１に戻る。
【０１５６】
一方、センサ３００Ｃにおいて、検出部３６０により、人が近傍にいるか否かが検出される（ステップＳ４３）。人が検出された場合は、ステップＳ４５に進み、人が検出されなかった場合は、ステップＳ４３に戻る（ステップＳ４４）。そして、検出信号送信部３１２Ｃにより、人が近傍にいることを示す検出信号が、テレビ２００Ｂに送信され（ステップＳ４５）、ステップＳ４３に戻る。
【０１５７】
そして、テレビ２００Ｂにおいて、動作状況受信部２１１により、洗濯機１００Ｄから動作状況が受信され（ステップＳ４６）、検出信号受信部２１５により、センサ３００Ｃから検出信号が受信されたか否かが判断され、検出信号が受信された場合は、ステップＳ４８に進み、所定の時間、検出信号が受信されない場合は、ステップＳ４６に戻る（ステップＳ４７）。次に、ステップＳ４６で所定の動作状況が受信された場合、ステップＳ４７で検出信号が受信されたことを条件に、受信された所定の動作状況が出力部２５０に出力され（ステップＳ４８）、ステップＳ４６に戻る。
【０１５８】
以上、説明したように、第２の実施の形態におけるネット家電システムにおいて、テレビ２００Ｂは、所定の動作状況を受信した場合、センサ３００Ｃから人が近傍にいることを示す検出信号を受信したことを条件に、所定の動作状況を出力する。このため、テレビ２００Ｂの近傍に人がいる場合に、洗濯機１００Ｄの動作状況をテレビ２００Ｂで出力することができる。その結果、必要に応じて情報を伝達することが可能な情報伝達システムを提供することができる。
【０１５９】
なお、第２の実施の形態においては、ネット家電システムで行なわれる処理について説明したが、図１３に示したテレビ２００Ｂの処理を実行する情報伝達装置、図１３に示したテレビ２００Ｂの処理を実行する情報伝達方法、および、図１３に示した処理を情報伝達装置に実行させる情報伝達プログラムとして発明を捕らえることができる。
【０１６０】
（第２の実施の形態の第１の変形例）
第２の実施の形態の第１の変形例においては、テレビ２００Ｃがセンサ３００Ｃに検出信号の送信を要求して、センサ３００Ｃから検出信号を受信する場合について説明する。
【０１６１】
図１４は、第２の実施の形態の第１の変形例におけるネット家電システムのテレビ２００Ｃの情報伝達機能を示す機能ブロック図である。図１４を参照して、ネット家電システムは、洗濯機１００Ｄと、テレビ２００Ｃと、センサ３００Ｃとを含む。洗濯機１００Ｄと、センサ３００Ｃとについては、図１２で説明したので、説明は繰返さない。
【０１６２】
テレビ２００Ｃは、テレビ２００Ｃの情報伝達機能を制御する制御部２１０Ｃと、テレビ２００Ｃを家庭内ＬＡＮ４００と接続するためのインタフェイスである通信部２３０と、所定の情報を出力するための出力部２５０とを含む。
【０１６３】
テレビ２００Ｃの制御部２１０Ｃは、動作状況受信部２１１と、情報出力部２１２Ａと、検出信号受信部２１５と、検出信号送信要求部２１６とを含む。
【０１６４】
動作状況受信部２１１と、検出信号受信部２１５と、情報出力部２１２Ａとについては、図１２で説明したので、説明は繰返さない。
【０１６５】
検出信号送信要求部２１６は、動作状況受信部２１１による動作状況の受信に応じて、検出信号の送信をセンサ３００Ｃに要求する。
【０１６６】
図１５は、第２の実施の形態の第１の変形例におけるネット家電システムのテレビ２００Ｃで行なわれる情報伝達処理の流れを示すフローチャートである。図１５を参照して、まず、動作状況受信部２１１により、洗濯機１００Ｄから動作状況が受信され（ステップＳ４６）、動作状況の受信に応じて、検出信号送信要求部２１６により、検出信号の送信がセンサ３００Ｃに要求される（ステップＳ４９）。そして、センサ３００Ｃから検出信号が受信されたか否かが判断され、検出信号が受信された場合は、ステップＳ４８に進み、所定の時間、検出信号が受信されない場合は、ステップＳ４６に戻る（ステップＳ４７）。最後に、ステップＳ４６で受信された所定の動作状況が出力部２５０に出力され（ステップＳ４８）、ステップＳ４６に戻る。
【０１６７】
以上、説明したように、第２の実施の形態の第１の変形例におけるネット家電システムにおいて、テレビ２００Ｃは、センサ３００Ｃに検出信号の送信を要求して、センサ３００Ｃから検出信号を受信する。このため、必要に応じて、検出信号を受信することができる。
【０１６８】
なお、第２の実施の形態の第１の変形例においては、ネット家電システムで行なわれる処理について説明したが、図１５に示したテレビ２００Ｃの処理を実行する情報伝達装置、図１５に示したテレビ２００Ｃの処理を実行する情報伝達方法、および、図１５に示したテレビ２００Ｃの処理を情報伝達装置に実行させる情報伝達プログラムとして発明を捕らえることができる。
【０１６９】
（第２の実施の形態の第２の変形例）
第２の実施の形態の第２の変形例においては、テレビ２００Ｄが、近傍に所定の人がいる場合に、洗濯機１００Ｄの動作状況を出力する場合について説明する。
【０１７０】
図１６は、第２の実施の形態の第２の変形例におけるネット家電システムの情報伝達機能を示す機能ブロック図である。図１６を参照して、ネット家電システムは、洗濯機１００Ｄと、テレビ２００Ｄと、センサ３００Ｄとを含む。また、センサ３００Ｄは、テレビ２００Ｄと同じ部屋に設置される。ここでは、ネット家電システムに、洗濯機１００Ｄとテレビ２００Ｄとが含まれる場合について説明するが、ネット家電システムに含まれる家電は、洗濯機１００Ｄとテレビ２００Ｄとに限定されない。洗濯機１００Ｄについては、図１２で説明したので、説明は繰返さない。
【０１７１】
センサ３００Ｄは、センサ３００Ｄの全体を制御する制御部３１０Ｄと、センサ３００Ｄを家庭内ＬＡＮ４００と接続するためのインタフェイスである通信部３３０と、検出範囲内に所定の人がいるか否かを検出する検出部３６０Ａとを含む。
【０１７２】
センサ３００Ｄの制御部３１０Ｄは、演算処理装置であり、制御部３１０Ｄで実行するためのプログラムを記憶するためのＲＯＭと、プログラムを実行するために必要な作業領域として用いられるＲＡＭとを備える。センサ３００Ｄの制御部３１０Ｄは、検出信号送信部３１２Ｄを含む。
【０１７３】
検出部３６０Ａについては、図７で説明したので、説明は繰返さない。
検出信号送信部３１２Ｄは、検出部３６０Ａから検出信号を受信した場合、つまり、所定の人が近傍にいる場合、受信した検出信号を、通信部３３０および家庭内ＬＡＮ４００を介して、テレビ２００Ｄに送信する。また、検出信号送信部３１２Ｄは、検出部３６０Ａから検出信号を受信していない場合、つまり、所定の人がセンサ３００Ｄの近傍にいない場合、検出範囲内に人がいないことを示す不検出信号を、テレビ２００Ｄに送信するようにしてもよい。
【０１７４】
テレビ２００Ｄは、テレビ２００Ｄの情報伝達機能を制御する制御部２１０Ｄと、テレビ２００Ｄを家庭内ＬＡＮ４００と接続するためのインタフェイスである通信部２３０と、所定の情報を出力するための出力部２５０とを含む。
【０１７５】
テレビ２００Ｄの制御部２１０Ｄは、演算処理装置であり、制御部２１０Ｄで実行するためのプログラムを記憶するためのＲＯＭと、プログラムを実行するために必要な作業領域として用いられるＲＡＭとを備える。テレビ２００Ｄの制御部２１０Ｄは、動作状況受信部２１１と、情報出力部２１２Ｂと、検出信号受信部２１５Ａとを含む。
【０１７６】
検出信号受信部２１５Ａは、センサ３００Ｄから家庭内ＬＡＮ４００および通信部２３０を介して、検出信号を受信したか否かを判断する。そして、検出信号受信部２１５Ａは、所定の時間、検出信号が受信されない場合は、受信していないと判断する。所定の時間とは、検出信号を受信したか否かを判断し始めてから、受信していないと判断するまでの時間であり、たとえば、１分間である。また、検出信号送信部３１２Ｄが検出信号あるいは不検出信号を送信するようにした場合、検出信号受信部２１５Ａは、検出信号あるいは不検出信号のいずれを受信したかを判断するようにしてもよい。
【０１７７】
動作状況受信部２１１は、洗濯機１００Ｄから家庭内ＬＡＮ４００および通信部２３０を介して、洗濯機１００Ｄの動作状況を受信する。
【０１７８】
情報出力部２１２Ｂは、動作状況受信部２１１で所定の動作状況が受信された場合、検出信号受信部２１５Ａで検出信号が受信されたことを条件に、受信された所定の動作状況を出力部２５０に出力する。出力部２５０については、図２で説明したので、説明は繰返さない。
【０１７９】
図１７は、第２の実施の形態の第２の変形例におけるネット家電システムで行なわれる情報伝達処理の流れを示すフローチャートである。図１７を参照して、まず、洗濯機１００Ｄにおいて、動作状況取得部１１２により、洗濯機１００Ｄの動作状況が、運転制御部１６０から取得される（ステップＳ５１）。そして、動作状況送信部１１３Ａにより、ステップＳ５１で取得された動作状況が、テレビ２００Ｄに送信され（ステップＳ５２）、ステップＳ５１に戻る。
【０１８０】
一方、センサ３００Ｄにおいて、検出部３６０Ａにより、所定の人が近傍にいるか否かが検出される（ステップＳ５３）。所定の人が検出された場合は、ステップＳ５５に進み、所定の人が検出されなかった場合は、ステップＳ５３に戻る（ステップＳ５４）。そして、検出信号送信部３１２Ｄにより、所定の人が近傍にいることを示す検出信号が、テレビ２００Ｄに送信され（ステップＳ５５）、ステップＳ５３に戻る。
【０１８１】
そして、テレビ２００Ｄにおいて、動作状況受信部２１１により、洗濯機１００Ｄから動作状況が受信され（ステップＳ５６）、検出信号受信部２１５Ａにより、センサ３００Ｄから検出信号が受信されたか否かが判断され、検出信号が受信された場合は、ステップＳ５８に進み、所定の時間、検出信号が受信されない場合は、ステップＳ５６に戻る（ステップＳ５７）。次に、ステップＳ５６で所定の動作状況が受信された場合、ステップＳ５７で検出信号が受信されたことを条件に、受信された所定の動作状況が出力部２５０に出力される。
【０１８２】
以上、説明したように、第２の実施の形態の第２の変形例におけるネット家電システムにおいて、テレビ２００Ｄは、所定の動作状況を受信した場合、センサ３００Ｄから所定の人が近傍にいることを示す検出信号を受信したことを条件に、所定の動作状況を出力する。このため、テレビ２００Ｄの近傍に所定の人がいる場合に、洗濯機１００Ｄの動作状況をテレビ２００Ｄで出力することができる。その結果、状況に応じて情報を伝達することが可能な情報伝達システムを提供することができる。
【０１８３】
なお、第２の実施の形態の第２の変形例においては、ネット家電システムで行なわれる処理について説明したが、図１７に示したテレビ２００Ｄの処理を実行する情報伝達装置、図１７に示したテレビ２００Ｄの処理を実行する情報伝達方法、および、図１７に示したテレビ２００Ｄの処理を情報伝達装置に実行させる情報伝達プログラムとして発明を捕らえることができる。
【０１８４】
（第２の実施の形態の第３の変形例）
第２の実施の形態の第３の変形例においては、テレビ２００Ｅが、人に操作されている場合は、洗濯機１００Ｄから受信した動作状況を出力する場合について説明する。
【０１８５】
図１８は、第２の実施の形態の第３の変形例におけるネット家電システムのテレビ２００Ｅの情報伝達機能を示す機能ブロック図である。図１８を参照して、ネット家電システムは、洗濯機１００Ｄと、テレビ２００Ｅとを含む。洗濯機１００Ｄについては、図１２で説明したので、説明は繰返さない。
【０１８６】
テレビ２００Ｅは、テレビ２００Ｅの情報伝達機能を制御する制御部２１０Ｅと、テレビ２００Ｅを家庭内ＬＡＮ４００と接続するためのインタフェイスである通信部２３０と、所定の情報を出力するための出力部２５０と、テレビ２００Ｅの運転を制御する運転制御部２６０と、センサ３００Ｅとを含む。
【０１８７】
センサ３００Ｅは、操作検出部３７０Ａを含む。
テレビ２００Ｅの制御部２１０Ｅは、動作状況受信部２１１と、情報出力部２１２Ｃとを含む。
【０１８８】
センサ３００Ｅの操作検出部３７０Ａは、動作状況の受信に応じて、運転制御部２６０から、テレビ２００Ｅが人に操作されているか否かを検出する。
【０１８９】
テレビ２００Ｅの動作状況受信部２１１は、洗濯機１００Ｄから家庭内ＬＡＮ４００および通信部２３０を介して、洗濯機１００Ｄの動作状況を受信する。
【０１９０】
テレビ２００Ｅの情報出力部２１２Ｃは、動作状況受信部２１１で所定の動作状況が受信された場合、操作検出部３７０Ａでテレビ２００Ｅへの操作が検出されたことを条件に、受信された所定の動作状況を出力部２５０に出力する。
【０１９１】
図１９は、第２の実施の形態の第３の変形例におけるネット家電システムのテレビ２００Ｅで行なわれる情報伝達処理の流れを示すフローチャートである。図１９を参照して、まず、テレビ２００Ｅの動作状況受信部２１１により、洗濯機１００Ｄから動作状況が受信される（ステップＳ５６）。そして、テレビ２００Ｅに備えられたセンサ３００Ｅの操作検出部３７０Ａにより、テレビ２００Ｅが人に操作されているか否かが検出される（ステップＳ５９）。人に操作されている場合は、ステップＳ５１に進み、人に操作されていない場合は、ステップＳ５６に戻る（ステップＳ６０）。最後に、テレビ２００Ｅの情報出力部２１２Ｃにより、ステップＳ５６で所定の動作状況が受信された場合、ステップＳ５９でテレビ２００Ｅへの操作が検出されたことを条件に、受信された所定の動作状況が出力部２５０に出力される（ステップＳ６１）。
【０１９２】
以上、説明したように、第２の実施の形態の第３の変形例におけるネット家電システムにおいて、テレビ２００Ｅは、洗濯機１００Ｄの所定の動作状況を受信した場合、テレビ２００Ｅが人に操作されていることを条件に、所定の動作状況を出力する。このため、近傍に人がいる場合に、洗濯機１００Ｄの動作状況を出力することができる。その結果、必要に応じて情報を伝達することが可能な情報伝達システムを提供することができる。
【０１９３】
なお、第２の実施の形態の第３の変形例においては、ネット家電システムで行なわれる処理について説明したが、図１９に示したテレビ２００Ｅの処理を実行する情報伝達装置、図１９に示したテレビ２００Ｅの処理を実行する情報伝達方法、および、図１９に示したテレビ２００Ｅの処理を情報伝達装置に実行させる情報伝達プログラムとして発明を捕らえることができる。
【０１９４】
（第２の実施の形態の具体例）
図２０は、第２の実施の形態の具体例におけるネット家電システムの概略を示す図である。第２の実施の形態の具体例におけるネット家電システムの構成は、図１１で説明した第１の実施の形態の具体例におけるネット家電システムの構成と同様である。第２の実施の形態の具体例におけるネット家電システムが、図１１で説明した第１の実施の形態の具体例におけるネット家電システムと異なる点は、動作状況送信側の家電である洗濯機５０１および電子レンジ５０２と、動作状況受信側の家電であるテレビ５０３、ＤＶＤプレーヤ５０４、モニタ５０５およびゲーム機５０６との機能である。
【０１９５】
図２０を参照して、第２の実施の形態の具体例においては、それぞれの家電５０１〜５０６が、以下のように使用されている時を例に説明する。
【０１９６】
洗濯機５０１は、母親によって使用中であり、脱水運転中である。
電子レンジ５０２は、母親によって使用中であり、パンの発酵処理運転中である。
【０１９７】
ＤＶＤプレーヤ５０４は、映画を再生中であり、テレビ５０３は、ＤＶＤプレーヤ５０４で再生された映画を出力している。母親は、洗濯機５０１で洗濯を開始させ、電子レンジ５０２でパンの発酵処理を開始させた後、部屋３で、テレビ５０３およびＤＶＤプレーヤ５０４で再生されている映画を鑑賞している。
【０１９８】
ゲーム機５０６は、ゲームソフトを実行中であり、モニタ５０５は、ゲーム機５０６で実行されているゲームを出力している。子供は、部屋４にいて、モニタ５０５およびゲーム機５０６を用いてゲームをしている。
【０１９９】
動作状況送信側の家電では、まず、所定の動作状況が取得され、取得された所定の動作状況が、動作状況受信側の家電に送信される。ここでは、動作状況送信側の家電は、洗濯機５０１および電子レンジ５０２であり、動作状況受信側の家電は、テレビ５０３、ＤＶＤプレーヤ５０４、モニタ５０５およびゲーム機５０６である。また、所定の動作状況は、洗濯機５０１については、「脱水終了」であり、電子レンジ５０２については、「パン発酵終了」である。
【０２００】
そして、動作状況受信側の家電では、動作状況送信側の家電から送信された所定の動作状況が受信される。次に、所定の動作状況の受信に応じて、所定の人が近傍にいることを示す検出信号の送信をセンサ６０１，６０２に要求する。ここでは、所定の人は、洗濯機５０１および電子レンジ５０２を使用している母親である。
【０２０１】
最後に、所定の人を検出したセンサ６０１と同じ部屋の動作状況受信側の家電であるテレビ５０３およびＤＶＤプレーヤ５０４では、所定の人を検出したセンサ６０１から検出信号が受信される。ここでは、母親が部屋３にいるので、部屋３に設置されたセンサ６０１から検出信号が受信される。そして、受信された所定の動作状況が、テレビ５０３およびＤＶＤプレーヤ５０４の出力部に出力される。一方、所定の人を検出していないセンサ６０２と同じ部屋の動作状況受信側の家電であるモニタ５０５とゲーム機５０６では、検出信号が受信されないので、受信された所定の動作状況が出力されない。
【０２０２】
以上、説明したように、第２の実施の形態の具体例におけるネット家電システムでは、動作状況受信側の家電であるテレビ５０３、ＤＶＤプレーヤ５０４、モニタ５０５およびゲーム機５０６は、所定の人である母親が近傍にいる場合、動作状況送信側の家電である洗濯機５０１および電子レンジ５０２から受信した所定の動作状況である「脱水終了」および「パン発酵終了」を出力する。このため、母親は、テレビ５０３およびＤＶＤプレーヤ５０４で、洗濯機５０１の「脱水終了」および電子レンジ５０２の「パン発酵終了」を知ることができる。また、子供は、動作状況の出力に邪魔をされずに、ゲームを楽しむことができる。その結果、所定の人にのみ、必要に応じて情報を伝達することが可能な情報伝達システムを提供することができる。
【０２０３】
［第３の実施の形態］
第３の実施の形態においては、テレビ２００Ｆは、洗濯機１００Ｄから受信した動作状況に対応する出力情報を出力する場合について説明する。
【０２０４】
図２１は、第３の実施の形態におけるネット家電システムの情報伝達機能を示す機能ブロック図である。図２１を参照して、ネット家電システムは、洗濯機１００Ｄと、テレビ２００Ｆとを含む。ここでは、ネット家電システムに、洗濯機１００Ｄと、テレビ２００Ｆとが含まれる場合について説明するが、ネット家電システムに含まれる家電は、洗濯機１００Ｄと、テレビ２００Ｆとに限定されない。また、洗濯機１００Ｄについては、図１２で説明したので、説明は繰返さない。
【０２０５】
テレビ２００Ｆは、テレビ２００Ｆの情報伝達機能を制御する制御部２１０Ｆと、所定の情報を記憶するための記憶部２２０と、テレビ２００Ｆを家庭内ＬＡＮ４００と接続するためのインタフェイスである通信部２３０と、所定の情報を出力するための出力部２５０とを含む。
【０２０６】
テレビ２００Ｆの記憶部２２０は、半導体メモリで構成される。また、テレビ２００Ｆの記憶部２２０は、出力情報記憶部２２１を含む。
【０２０７】
図２２は、第３の実施の形態におけるネット家電システムのテレビ２００Ｆの出力情報記憶部２２１に記憶されるＤ／Ｂの一例を示す図である。図２２を参照して、出力情報記憶部２２１に記憶されるＤ／Ｂは、家電名称の項目と、動作状況の項目と、出力情報の項目とよりなるデータを記憶する。たとえば、家電名称の項目が「洗濯機」の家電については、８つの動作状況について出力情報が記憶されている。そして、動作状況の項目が「脱水２終了」のデータについては、出力情報の項目が「文字列Ｂ」、「画像Ａ」、「音声Ａ」および「メロディＡ」のデータが記憶されている。出力情報である「文字列Ｂ」、「画像Ａ」、「音声Ａ」および「メロディＡ」は、それぞれ、動作状況である「脱水２終了」を表現するための文字列データ、画像データ、音声データおよびメロディデータである。たとえば、「文字列Ｂ」は、「脱水２を終了しました」という内容の文字列データである。また、「画像Ａ」は、脱水２を終了したことを模式的に表現した画像データである。このように、出力情報記憶部２２１は、洗濯機１００Ｄの動作状況と、動作状況に関連する出力情報とを対応させて予め記憶する。ここでは、出力情報記憶部２２１は、洗濯機１００Ｄについて、動作状況と出力情報とを対応させて記憶するが、他の家電について、動作状況と出力情報を対応させて記憶してもよい。
【０２０８】
図２１に戻って、テレビ２００Ｆの制御部２１０Ｆは、演算処理装置であり、制御部２１０Ｆで実行するためのプログラムを記憶するためのＲＯＭと、プログラムを実行するために必要な作業領域として用いられるＲＡＭとを備える。テレビ２００Ｆの制御部２１０Ｆは、動作状況受信部２１１と、情報出力部２１２Ｄとを含む。
【０２０９】
動作状況受信部２１１は、洗濯機１００Ｄから家庭内ＬＡＮ４００および通信部２３０を介して、洗濯機１００Ｄの動作状況を受信する。
【０２１０】
情報出力部２１２Ｄは、動作状況受信部２１１で所定の動作状況が受信された場合、動作状況受信部２１１で受信された動作状況に対応させて記憶された出力情報を、出力情報記憶部２２１から読み出し、読み出された出力情報を出力部２５０に出力する。
【０２１１】
図２３は、第３の実施の形態におけるネット家電システムで行なわれる情報伝達処理の流れを示すフローチャートである。図２３を参照して、洗濯機１００Ｄで行なわれる処理については、図１３で説明したので、説明は繰返さない。
【０２１２】
テレビ２００Ｆにおいて、動作状況受信部２１１により、洗濯機１００Ｄから動作状況が受信される（ステップＳ６２）。そして、情報出力部２１２Ｄにより、ステップＳ６２で受信された動作状況に対応させて記憶された出力情報が、出力情報記憶部２２１から読み出される（ステップＳ６３）。次に、ステップＳ６３で読み出された出力情報が出力部２５０に出力され（ステップＳ６４）、ステップＳ６２に戻る。
【０２１３】
以上、説明したように、第３の実施の形態におけるネット家電システムにおいて、テレビ２００Ｆは、所定の動作状況を受信した場合、受信された動作状況に対応させて記憶された出力情報を読み出し、読み出された出力情報を出力する。このため、受信された動作状況に応じて、出力情報を変えることができる。その結果、伝達する情報に関連する情報を報知することが可能なネット家電システムを提供することができる。
【０２１４】
なお、第３の実施の形態においては、ネット家電システムで行なわれる処理について説明したが、図２３に示したテレビ２００Ｆの処理を実行する情報伝達装置、図２３に示したテレビ２００Ｆの処理を実行する情報伝達方法、および、図２３に示したテレビ２００Ｆの処理を情報伝達装置に実行させる情報伝達プログラムとして発明を捕らえることができる。
【０２１５】
（第３の実施の形態の第１の変形例）
第３の実施の形態の第１の変形例においては、テレビ２００Ｇが、洗濯機１００Ｄから受信した動作状況に対応した付加情報を出力する場合について説明する。
【０２１６】
図２４は、第３の実施の形態の第１の変形例におけるネット家電システムの情報伝達機能を示す機能ブロック図である。図２４を参照して、ネット家電システムは、洗濯機１００Ｄと、テレビ２００Ｇとを含む。ここでは、ネット家電システムに、洗濯機１００Ｄと、テレビ２００Ｇとが含まれる場合について説明するが、ネット家電システムに含まれる家電は、洗濯機１００Ｄと、テレビ２００Ｇとに限定されない。また、洗濯機１００Ｄについては、図１２で説明したので、説明は繰返さない。
【０２１７】
テレビ２００Ｇは、テレビ２００Ｇの情報伝達機能を制御する制御部２１０Ｇと、所定の情報を記憶するための記憶部２２０Ａと、テレビ２００Ｇを家庭内ＬＡＮ４００と接続するためのインタフェイスである通信部２３０と、所定の情報を出力するための出力部２５０とを含む。
【０２１８】
テレビ２００Ｇの記憶部２２０Ａは、半導体メモリで構成される。また、テレビ２００Ｇの記憶部２２０Ａは、付加情報取得情報記憶部２２２を含む。
【０２１９】
図２５は、第３の実施の形態の第１の変形例におけるネット家電システムのテレビ２００Ｇの付加情報取得情報記憶部２２２に記憶されるＤ／Ｂの一例を示す図である。図２５を参照して、付加情報取得情報記憶部２２２に記憶されるＤ／Ｂは、家電名称の項目と、動作状況の項目と、付加情報取得情報の項目とよりなるデータを記憶する。たとえば、家電名称の項目が「洗濯機」の家電については、８つの動作状況について出力情報が記憶されている。そして、動作状況の項目が「脱水２終了」のデータについては、付加情報取得情報の項目が「天気情報」のデータが記憶されている。付加情報取得情報である「天気情報」としては、たとえば、インターネットで天気情報を公開しているページのＵＲＬ（Ｕｎｉｆｏｒｍ　Ｒｅｓｏｕｒｃｅ　Ｌｏｃａｔｏｒ）が記憶される。このように、付加情報取得情報記憶部２２２は、洗濯機１００Ｄの動作状況と、動作状況に関連する付加情報取得情報とを対応させて予め記憶する。ここでは、付加情報取得情報記憶部２２２は、洗濯機１００Ｄについて、動作状況と付加情報取得情報とを対応させて記憶するが、他の家電について、動作状況と付加情報取得情報とを対応させて記憶してもよい。
【０２２０】
図２４に戻って、テレビ２００Ｇの制御部２１０Ｇは、演算処理装置であり、制御部２１０Ｇで実行するためのプログラムを記憶するためのＲＯＭと、プログラムを実行するために必要な作業領域として用いられるＲＡＭとを備える。テレビ２００Ｇの制御部２１０Ｇは、動作状況受信部２１１と、情報出力部２１２Ｅと、情報出力部に含まれる付加情報取得部２１７とを含む。
【０２２１】
動作状況受信部２１１は、洗濯機１００Ｄから家庭内ＬＡＮ４００および通信部２３０を介して、洗濯機１００Ｄの動作状況を受信する。
【０２２２】
付加情報取得部２１７は、動作状況受信部２１１で所定の動作状況が受信された場合、受信された動作状況に対応させて記憶された付加情報取得情報を、付加情報取得情報記憶部２２２から読み出し、読み出された付加情報取得情報に基づき、付加情報を取得する。
【０２２３】
情報出力部２１２Ｅは、付加情報取得部２１７で取得された付加情報を出力部２５０に出力する。
【０２２４】
図２６は、第３の実施の形態の第１の変形例におけるネット家電システムのテレビ２００Ｇで行なわれる情報伝達処理の流れを示すフローチャートである。図２６を参照して、テレビ２００Ｇにおいて、動作状況受信部２１１により、洗濯機１００Ｄから動作状況が受信される（ステップＳ６２）。そして、付加情報取得部２１７により、ステップＳ６７で受信された動作状況に対応させて記憶された付加情報取得情報が読み出され（ステップＳ６５）、読み出された付加情報取得情報に基づき、付加情報が取得される（ステップＳ６６）。次に、情報出力部２１２Ｅにより、ステップＳ６９で取得された付加情報が出力部２５０に出力され（ステップＳ６７）、ステップＳ６２に戻る。
【０２２５】
以上、説明したように、第３の実施の形態の第１の変形例におけるネット家電システムにおいて、テレビ２００Ｇは、所定の動作状況を受信した場合、受信された動作状況に対応させて記憶された付加情報取得情報に基づき、付加情報を取得し、取得された付加情報を出力する。このため、受信された動作状況に応じて、付加情報を出力することができる。その結果、伝達する情報に関連する情報を報知することが可能な情報伝達システムを提供することができる。
【０２２６】
なお、第３の実施の形態の第１の変形例においては、ネット家電システムで行なわれる処理について説明したが、図２６に示したテレビ２００Ｇの処理を実行する情報伝達装置、図２６に示したテレビ２００Ｇの処理を実行する情報伝達方法、および、図２６に示したテレビ２００Ｇの処理を情報伝達装置に実行させる情報伝達プログラムとして発明を捕らえることができる。
【０２２７】
（第３の実施の形態の第２の変形例）
第３の実施の形態の変形例におけるネット家電システムでは、テレビ２００Ｈは、洗濯機１００Ｄから受信した動作状況に対応させて記憶された割込許可情報が割込を許可することを示す場合、テレビ２００Ｈが動作中であっても、洗濯機１００Ｄから受信した動作状況に関連する情報を出力する。
【０２２８】
図２７は、第３の実施の形態の第２の変形例におけるネット家電システムのテレビ２００Ｈの情報伝達機能を示す機能ブロック図である。図２７を参照して、ネット家電システムは、洗濯機１００Ｄと、テレビ２００Ｈとを含む。ここでは、ネット家電システムに，洗濯機１００Ｄと、テレビ２００Ｈとが含まれる場合について説明するが、ネット家電システムに含まれる家電は、洗濯機１００Ｄと、テレビ２００Ｈとに限定されない。また、洗濯機１００Ｄについては、図１２で説明したので、説明は繰返さない。
【０２２９】
テレビ２００Ｈは、テレビ２００Ｈの情報伝達機能を制御する制御部２１０Ｈと、所定の情報を記憶するための記憶部２２０Ｂと、テレビ２００Ｈを家庭内ＬＡＮ４００と接続するためのインタフェイスである通信部２３０と、所定の情報を出力するための出力部２５０とを含む。
【０２３０】
テレビ２００Ｈの記憶部２２０Ｂは、半導体メモリで構成される。また、テレビ２００Ｈの記憶部２２０Ｂは、割込許可情報記憶部２２３を含む。
【０２３１】
図２８は、第３の実施の形態の第２の変形例におけるネット家電システムのテレビ２００Ｈの割込許可情報記憶部２２３に記憶されるＤ／Ｂの一例を示す図である。図２８を参照して、割込許可情報記憶部２２３に記憶されるＤ／Ｂは、家電名称の項目と、動作状況の項目と、割込許可情報の項目とよりなるデータを記憶する。たとえば、家電名称の項目が「洗濯機」の家電については、８つの動作状況について割込許可情報が記憶されている。そして、動作状況の項目が「脱水２終了」のデータについては、割込許可情報の項目が「許可」のデータが記憶されている。割込許可情報である「許可」は、自機の動作中でも割込を許可することを意味する。このように割込許可情報記憶部２２３は、洗濯機１００Ｄの動作状況と、自機の動作への割込を許可することを示す割込許可情報とを対応させて予め記憶する。ここでは、割込許可情報記憶部２２３は、洗濯機１００Ｄについて、動作状況と割込許可情報とを対応させて記憶するが、他の家電について、動作状況と割込許可情報を対応させて記憶してもよい。
【０２３２】
図２７に戻って、テレビ２００Ｈの制御部２１０Ｈは、動作状況受信部２１１と、情報出力部２１２Ｆとを含む。
【０２３３】
動作状況受信部２１１は、洗濯機１００Ｄから家庭内ＬＡＮ４００および通信部２３０を介して、洗濯機１００Ｄの動作状況を受信する。
【０２３４】
情報出力部２１２Ｆは、動作状況受信部２１１で所定の動作状況が受信された場合、受信された動作状況に対応させて記憶された割込許可情報を、割込許可情報記憶部２２２から読み出す。そして、情報出力部２１２Ｆは、割込を許可することを示す割込許可情報が読み出された場合、受信された動作状況に関連する情報を出力部２５０に出力する。
【０２３５】
図２９は、第３の実施の形態の第２の変形例におけるネット家電システムのテレビ２００Ｈで行なわれる情報伝達処理の流れを示すフローチャートである。図２９を参照して、まず、動作状況受信部２１１により、洗濯機１００Ｄから動作状況が受信される（ステップＳ６２）。そして、情報出力部２１２Ｆにより、ステップＳ６２で受信された動作状況に対応させて記憶された割込許可情報が、割込許可情報記憶部２２２から読み出される（ステップＳ６８）。割込が許可される場合は、ステップＳ７０に進み、割込が許可されない場合は、ステップＳ６２に戻る（ステップＳ６９）。次に、情報出力部２１２Ｆにより、ステップＳ６２で受信された動作状況に関連する情報が出力部２５０に出力され（ステップＳ７０）、ステップＳ６２に戻る。
【０２３６】
以上、説明したように、第３の実施の形態の第２の変形例におけるネット家電システムにおいて、テレビ２００Ｈは、所定の動作状況を受信した場合、受信された動作状況に対応させて記憶された割込許可情報に応じて、受信された動作状況に関連する情報を出力する。このため、割込が許可される場合は、受信された動作状況に関連する情報を出力することができる。その結果、伝達する情報に関連する情報を伝達することができる。
【０２３７】
なお、第３の実施の形態の第２の変形例においては、ネット家電システムで行なわれる処理について説明したが、図２９に示したテレビ２００Ｈの処理を実行する情報伝達装置、図２９に示したテレビ２００Ｈの処理を実行する情報伝達方法、および、図２９に示したテレビ２００Ｈの処理を情報伝達装置に実行させる情報伝達プログラムとして発明を捕らえることができる。
【０２３８】
（第３の実施の形態の具体例）
第６の実施の形態では、ネット家電システムにおいて、図１２で説明した洗濯機１００Ｄに相当する電気敷毛布５０７および時計５０８と、図２４で説明したテレビ２００Ｇに相当するテレビ５０９、ＰＤＡ（Ｐｅｒｓｏｎａｌ　Ｄｉｇｉｔａｌ　Ａｓｓｉｓｔａｎｃｅ）５１０および冷蔵庫５１１との間で動作状況を送受信する場合について説明する。
【０２３９】
図３０は、第３の実施の形態の具体例におけるネット家電システムの概略を示す図である。図３０を参照して、ネット家電システムは、電気敷毛布５０７と、時計５０８と、テレビ５０９と、ＰＤＡ５１０と、冷蔵庫５１１とを含む。また、図には記載していないが、各機器は、家庭内ＬＡＮ４００に接続されており、互いに情報を送受信することが可能である。
【０２４０】
電気敷毛布５０７は、ユーザが電気敷毛布５０７の電源を切ることにより、動作状況「電源切」を、テレビ５０９、ＰＤＡ５１０および冷蔵庫５１１に送信する。
【０２４１】
時計５０８は、指定時刻になると、動作状況「指定時刻」を、テレビ５０９、ＰＤＡ５１０および冷蔵庫５１１に送信する。
【０２４２】
図３１は、第３の実施の形態の具体例におけるネット家電システムのテレビ５０９の付加情報取得情報記憶部に記憶されるＤ／Ｂの一例を示す図である。テレビ５０９の付加情報記憶部に記憶されるＤ／Ｂの構成については、図２５で説明したＤ／Ｂの構成と同様であるので、説明は繰返さない。
【０２４３】
図３１を参照して、家電名称が「電気敷毛布」のデータについては、動作状況が「電源切」であり、付加情報取得情報が「スケジュール情報（ＰＤＡ）」であり、家電名称が「時計」のデータについては、動作状況が「指定時刻」であり、付加情報取得情報が「天気情報（ｗｗｗ．ＸＸ．ＸＸ．ｊｐ）、大阪」である。
【０２４４】
図３２は、第３の実施の形態の具体例におけるネット家電システムの冷蔵庫５１１の付加情報取得情報記憶部に記憶されるＤ／Ｂの一例を示す図である。冷蔵庫５１１の付加情報記憶部に記憶されるＤ／Ｂの構成については、図２５で説明したＤ／Ｂの構成と同様であるので、説明は繰返さない。
【０２４５】
図３２を参照して、家電名称が「電気敷毛布」のデータについては、動作状況が「電源切」であり、付加情報取得情報が「占い情報（ｗｗｗ．ＹＹ．ＹＹ．ｊｐ）、蠍座、Ａ型」であり、家電名称が「時計」のデータについては、動作状況が「指定時刻」であり、付加情報取得情報が何も記憶されない。
【０２４６】
図３０に戻って、まず、動作状況受信側の家電では、動作状況送信側の家電から所定の動作状況が受信されたか否かが判断される。ここでは、動作状況送信側の家電は、電気敷毛布５０７および時計５０８である。そして、電気敷毛布５０７から所定の動作状況である「電源切」が受信され、時計５０８から「指定時刻」が受信される。
【０２４７】
次に、受信された動作状況に対応させて記憶された付加情報取得情報が読み出される。ここでは、テレビ５０９では、図３１で説明したＤ／Ｂから、「電源切」について、付加情報取得情報「スケジュール情報（ＰＤＡ）」が読み出され、「指定時刻」について、付加情報取得情報「天気情報（ｗｗｗ．ＸＸ．ＸＸ．ｊｐ）、大阪」が読み出される。また、冷蔵庫５１１では、図３２で説明したＤ／Ｂから、「電源切」について、付加情報取得情報「占い情報（ｗｗｗ．ＹＹ．ＹＹ．ｊｐ）、蠍座、Ａ型」が読み出され、「指定時刻」については、付加情報取得情報が読み出されない。
【０２４８】
そして、読み出された付加情報取得情報に基づき、付加情報が取得される。ここでは、テレビ５０９では、「電源切」に対する付加情報「スケジュール情報（ＰＤＡ）」に基づき、ＰＤＡ５１０からスケジュール情報が取得され、「指定時刻」に対する付加情報「天気情報（ｗｗｗ．ＸＸ．ＸＸ．ｊｐ）、大阪」に基づき、ＵＲＬが「ｗｗｗ．ＸＸ．ＸＸ．ｊｐ」である天気情報のウェブページから大阪の天気情報が取得される。また、冷蔵庫５１１では、「電源切」に対する付加情報「占い情報（ｗｗｗ．ＹＹ．ＹＹ．ｊｐ）、蠍座、Ａ型」に基づき、ＵＲＬが「ｗｗｗ．ＹＹ．ＹＹ．ｊｐ」である占い情報のウェブページから、星座が蠍座で血液型がＡ型に対応する占い情報が取得される。
【０２４９】
最後に、取得された付加情報が出力される。ここでは、テレビ５０９では、「電源切」について、スケジュール情報が出力され、「指定時刻」について、大阪の天気情報が出力される。また、冷蔵庫５１１では、「電源切」について、蠍座のＡ型に対応する占い情報が出力される。
【０２５０】
以上、説明したように、第３の実施の形態の具体例におけるネット家電システムでは、動作状況受信側の家電であるテレビ５０９および冷蔵庫５１１は、受信した動作状況である電気敷毛布５０７の「電源切」および時計５０８の「指定時刻」にそれぞれ対応する付加情報取得情報に基づき、付加情報であるスケジュール情報、天気情報、および、占い情報を取得し、出力する。このため、ユーザは、電気敷毛布５０７の電源を切ることにより、テレビ５０９に出力されたスケジュール情報と、冷蔵庫５１１に出力された占い情報とを知ることができる。また、時計５０８が指定時刻になった時に、テレビ５０９に出力される天気情報を知ることができる。その結果、伝達する情報に関連する情報を報知することが可能な情報伝達システムを提供することができる。
【０２５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態におけるネット家電システムの概略を示す図である。
【図２】第１の実施の形態におけるネット家電システムの情報伝達機能を示す機能ブロック図である。
【図３】第１の実施の形態におけるネット家電システムの洗濯機に記憶されるセンサと家電との対応を示すＤ／Ｂの一例を示す図である。
【図４】第１の実施の形態におけるネット家電システムで行なわれる情報伝達処理の流れを示すフローチャートである。
【図５】第１の実施の形態の第１の変形例におけるネット家電システムの洗濯機の情報伝達機能を示す機能ブロック図である。
【図６】第１の実施の形態の第１の変形例におけるネット家電システムの洗濯機で行なわれる情報伝達処理の流れを示すフローチャートである。
【図７】第１の実施の形態の第２の変形例におけるネット家電システムの情報伝達機能を示す機能ブロック図である。
【図８】第１の実施の形態の第２の変形例におけるネット家電システムで行なわれる情報伝達処理の流れを示すフローチャートである。
【図９】第１の実施の形態の第３の変形例におけるネット家電システムの情報伝達機能を示す機能ブロック図である。
【図１０】第１の実施の形態の第３の変形例におけるネット家電システムで行なわれる情報伝達処理の流れを示すフローチャートである。
【図１１】第１の実施の形態の具体例におけるネット家電システムの概略を示す図である。
【図１２】第２の実施の形態におけるネット家電システムの情報伝達機能を示す機能ブロック図である。
【図１３】第２の実施の形態におけるネット家電システムで行なわれる情報伝達処理の流れを示すフローチャートである。
【図１４】第２の実施の形態の第１の変形例におけるネット家電システムのテレビの情報伝達機能を示す機能ブロック図である。
【図１５】第２の実施の形態の第１の変形例におけるネット家電システムのテレビで行なわれる情報伝達処理の流れを示すフローチャートである。
【図１６】第２の実施の形態の第２の変形例におけるネット家電システムの情報伝達機能を示す機能ブロック図である。
【図１７】第２の実施の形態の第２の変形例におけるネット家電システムで行なわれる情報伝達処理の流れを示すフローチャートである。
【図１８】第２の実施の形態の第３の変形例におけるネット家電システムのテレビの情報伝達機能を示す機能ブロック図である。
【図１９】第２の実施の形態の第３の変形例におけるネット家電システムのテレビで行なわれる情報伝達処理の流れを示すフローチャートである。
【図２０】第２の実施の形態の具体例におけるネット家電システムの概略を示す図である。
【図２１】第３の実施の形態におけるネット家電システムの情報伝達機能を示す機能ブロック図である。
【図２２】第３の実施の形態におけるネット家電システムのテレビの出力情報記憶部に記憶されるＤ／Ｂの一例を示す図である。
【図２３】第３の実施の形態におけるネット家電システムで行なわれる情報伝達処理の流れを示すフローチャートである。
【図２４】第３の実施の形態の第１の変形例におけるネット家電システムの情報伝達機能を示す機能ブロック図である。
【図２５】第３の実施の形態の第１の変形例におけるネット家電システムのテレビの付加情報取得情報記憶部に記憶されるＤ／Ｂの一例を示す図である。
【図２６】第３の実施の形態の第１の変形例におけるネット家電システムのテレビで行なわれる情報伝達処理の流れを示すフローチャートである。
【図２７】第３の実施の形態の第２の変形例におけるネット家電システムのテレビの情報伝達機能を示す機能ブロック図である。
【図２８】第３の実施の形態の第２の変形例におけるネット家電システムのテレビの割込許可情報記憶部に記憶されるＤ／Ｂの一例を示す図である。
【図２９】第３の実施の形態の第２の変形例におけるネット家電システムのテレビで行なわれる情報伝達処理の流れを示すフローチャートである。
【図３０】第３の実施の形態の具体例におけるネット家電システムの概略を示す図である。
【図３１】第３の実施の形態の具体例におけるネット家電システムのテレビの付加情報取得情報記憶部に記憶されるＤ／Ｂの一例を示す図である。
【図３２】第３の実施の形態の具体例におけるネット家電システムの冷蔵庫の付加情報取得情報記憶部に記憶されるＤ／Ｂの一例を示す図である。
【符号の説明】
１００，１００Ａ〜１００Ｄ　洗濯機、１１０，１１０Ａ〜１１０Ｄ　制御部、１１１，１１１Ａ，１１１Ｂ　検出信号受信部、１１２　動作状況取得部、１１３，１１３Ａ，１１３Ｂ　動作状況送信部、１１４　検出信号送信要求部、１３０　通信部、１６０　運転制御部、２００，２００Ａ〜２００Ｈ　テレビ、２１０，２１０Ａ〜２１０Ｈ　制御部、２１１　動作状況受信部、２１２，２１２Ａ〜２１２Ｆ　情報出力部、２１５，２１５Ａ　検出信号受信部、２１６　検出信号送信要求部、２１７　付加情報取得部、２２０，２２０Ａ〜２２０Ｂ　記憶部、２２１　出力情報記憶部、２２２　付加情報取得情報記憶部、２２３　割込許可情報記憶部、２３０　通信部、２５０　出力部、２６０　運転制御部、３００，３００Ａ〜３００Ｅ　センサ、３１０，３１０Ａ〜３１０Ｄ　制御部、３１２，３１２Ａ〜３１２Ｄ　検出信号送信部、３３０　通信部、３６０，３６０Ａ，３６０Ｂ　検出部、３７０，３７０Ａ　操作検出部、４００　家庭内ＬＡＮ、５００Ａ〜５００Ｅ　家電、５０１　洗濯機、５０２　電子レンジ、５０３　テレビ、５０４　ＤＶＤプレーヤ、５０５　モニタ、５０６　ゲーム機、５０７　電気敷毛布、５０８　時計、５０９　テレビ、５１０　ＰＤＡ、５１１　冷蔵庫、６００Ａ，６００Ｂ，６０１，６０２　センサ。
【図１】
2004015169.tif 000003
【図２】
2004015169.tif 000004
【図３】
2004015169.tif 000005
【図４】
2004015169.tif 000006
【図５】
2004015169.tif 000007
【図６】
2004015169.tif 000008
【図７】
2004015169.tif 000009
【図８】
2004015169.tif 000010
【図９】
2004015169.tif 000011
【図１０】
2004015169.tif 000012
【図１１】
2004015169.tif 000013
【図１２】
2004015169.tif 000014
【図１３】
2004015169.tif 000015
【図１４】
2004015169.tif 000016
【図１５】
2004015169.tif 000017
【図１６】
2004015169.tif 000018
【図１７】
2004015169.tif 000019
【図１８】
2004015169.tif 000020
【図１９】
2004015169.tif 000021
【図２０】
2004015169.tif 000022
【図２１】
2004015169.tif 000023
【図２２】
2004015169.tif 000024
【図２３】
2004015169.tif 000025
【図２４】
2004015169.tif 000026
【図２５】
2004015169.tif 000027
【図２６】
2004015169.tif 000028
【図２７】
2004015169.tif 000029
【図２８】
2004015169.tif 000030
【図２９】
2004015169.tif 000031
【図３０】
2004015169.tif 000032
【図３１】
2004015169.tif 000033
【図３２】
2004015169.tif 000034